(57)【要約】  画像表示システム２では、パーソナルコンピュータ１００の画像データ変換部１５９で、表示優先順位が２位以下の画像のうちの１つの画像の少なくとも一部分を表わす下位画像データが得られる。パーソナルコンピュータ１００の下位画像データ送信部１６０が、その下位画像データを送信し、サブディスプレイ装置２００の下位画像データ受信部２５６がその下位画像データを受信する。そして、サブディスプレイ装置２００の第２の表示制御部２５７が、その下位画像データに基づく部分画像をサブディスプレイに表示させる。これにより、ユーザは、閲覧希望対象の画像が他の画像に隠れた態様を崩すことなく閲覧希望対象の画像を閲覧することができる。
2011108109.tif 000002
【特許請求の範囲】
【請求項１】
画像データに基づく画像を表示する表示画面を有する第１表示装置と、該第１表示装置から送信されてきた画像データに基づく画像を表示する表示画面を有する第２表示装置とを有する画像表示システムであって、
前記第１表示装置が、
前記第１表示装置の表示画面への表示が指示された画像が複数存在する場合の該複数の画像の表示優先順位を記憶するメモリと、
前記複数の画像のうちの表示優先順位の低い画像ほど表示優先順位の高い画像の裏に隠れた態様の複合画像を表わす複合画像データを作成する画像合成部と、
前記画像合成部で生成された複合画像データに基づく複合画像を前記第１表示装置の表示画面に表示させる第１の表示制御部と、
表示優先順位が２位以下の画像のうちの１つの画像の少なくとも一部分を表わす下位画像データを作成する下位画像作成部と、
前記下位画像作成部で作成された下位画像データを前記第２表示装置に向けて送信する画像送信部とを有し、
前記第２表示装置が、
前記第１表示装置から送信されてきた前記下位画像データを受信する画像受信部と、
前記画像受信部で受信された下位画像データに基づく部分画像を前記第２表示装置の表示画面に表示させる第２の表示制御部とを有することを特徴とする画像表示システム。
【請求項２】
前記第２表示装置が、
前記第１表示装置の表示画面上の領域を操作者による操作に応じて移動自在に指定する領域指定部と、
前記領域指定部で指定された前記第１表示装置の表示画面上の領域を表わす領域指定データを前記第１表示装置に向けて送信する指定領域送信部とを有し、
前記第１表示装置が、
前記第２表示装置から送信されてきた領域指定データを受信する指定領域受信部を有し、
前記下位画像作成部が、表示優先順位が２位以下の画像のうちの１つの画像の、前記指定領域受信部で受信された領域指定データに基づく領域内の部分画像を表わす下位画像データを作成するものであることを特徴とする請求項１記載の画像表示システム。
【請求項３】
前記第２表示装置が、操作者により自在に移動されるものであって、さらに、
当該第２表示装置の移動方向および移動量を検出する移動センサを有し、
前記領域指定部が、前記センサで検出された移動方向および移動量に基づいて、前記第１表示装置の表示画面上の移動前の領域を、該移動センサで検出された移動方向に応じた移動方向に該移動センサで検出された移動量に応じた移動量だけ該第１表示装置の表示画面上で移動させたときの、移動後の領域を指定するものであることを特徴とする請求項２記載の画像表示システム。
【請求項４】
前記第２表示装置が、
前記第２表示装置の表示画面上の、操作者によるタッチ位置を検出するタッチセンサを有し、
前記領域指定部が、前記タッチセンサで検出されたタッチ位置に基づいて、前記第１表示装置の表示画面上の移動前の領域を、該タッチセンサで検出されたタッチ位置に応じた移動方向に該タッチ位置に応じた移動量だけ該表示画面上で移動させたときの、移動後の領域を指定するものであることを特徴とする請求項２記載の画像表示システム。
【請求項５】
前記第２表示装置が、
前記第２表示装置の表示画面上の、操作者による、タッチ後のタッチ位置の移動方向および移動量を検出するタッチセンサを有し、
前記領域指定部が、前記タッチセンサで検出された移動方向および移動量に基づいて、前記第１表示装置の表示画面上の移動前の領域を、該タッチセンサで検出された移動方向に応じた移動方向に該タッチセンサで検出された移動量だけ該第１表示装置の表示画面上で移動させたときの、移動後の領域を指定するものであることを特徴とする請求項２記載の画像表示システム。
【請求項６】
前記第２表示装置が、
前記第２表示装置の表示画面上の、操作者によるタッチ位置を検出するタッチセンサを有し、
前記領域指定部が、前記第２表示装置の表示画面上に該第２表示装置の表示画面上の複数の各方向をそれぞれ表わす複数のマークを表示させ、前記タッチセンサに、該複数のマークのうちの操作者にタッチされたマークを検出させて、該タッチセンサで検出されたマークに基づいて、前記第１表示装置の表示画面上の移動前の領域を、該タッチセンサで検出されたマークが表わす方向に応じた移動方向に該第１表示装置の表示画面上で移動させたときの、移動後の領域を指定するものであることを特徴とする請求項２記載の画像表示システム。
【請求項７】
前記領域指定部が、前記第１表示装置の表示画面上の領域を、操作者による操作に応じて移動自在かつ拡縮自在に指定するものであり、
前記第２の表示制御部が、前記画像受信部で受信された下位画像データに基づくとともに前記第２表示装置の表示画面のサイズに応じて拡縮された部分画像を該第２表示装置の表示画面に表示させるものであることを特徴とする請求項２から６のうちいずれか１項記載の画像表示システム。
【請求項８】
前記領域指定部が、前記第１表示装置の表示画面上の移動前の領域を、前記第２表示装置の表示画面に表示されている部分画像の拡縮率を１つの変数として算出される移動量だけ前記第１表示装置の表示画面上で移動させたときの移動後の領域を指定するものであることを特徴とする請求項７記載の画像表示システム。
【請求項９】
前記領域指定部が、さらに、前記第１表示装置の表示画面への表示が指示された画像のうちの表示優先順位が２位以下の画像の中の１つの画像を操作者による操作に応じて指定するものであり、
前記指定領域送信部が、前記領域指定データを送信するとともに、さらに、前記領域指定部で指定された画像を特定する画像指定データを送信し、
前記指定領域受信部が、前記第２表示装置から送信されてきた画像指定データと領域指定データとの双方を受信し、
前記下位画像作成部が、前記指定領域受信部で受信された画像指定データに基づく画像の、該指定領域受信部で受信された領域指定データに基づく領域内の部分画像を表わす下位画像データを作成するものであることを特徴とする請求項２から８のうちいずれか１項記載の画像表示システム。
【請求項１０】
画像データに基づく画像を表示画面に表示させる情報処理装置であって、
前記情報処理装置から表示画面への表示が指示された画像が複数存在する場合の該複数の画像の表示優先順位を記憶するメモリと、
前記複数の画像のうちの表示優先順位の低い画像ほど表示優先順位の高い画像の裏に隠れた態様の複合画像を表わす複合画像データを作成する画像合成部と、
前記画像合成部で生成された複合画像データに基づく複合画像を前記表示画面に表示させる制御部と、
表示優先順位が２位以下の画像のうちの１つの画像の少なくとも一部分を表わす下位画像データを作成する下位画像作成部と、
画像データを受信し、受信した画像データに基づく画像を表示する表示画面を有する表示装置に向けて、前記下位画像作成部で作成された下位画像データを送信する画像送信部とを有することを特徴とする情報処理装置。
【請求項１１】
前記表示装置で移動自在に指定されて該表示装置から送信されてきた、前記情報処理装置の表示画面上の領域を表わす領域指定データを受信する指定領域受信部を有し、
前記下位画像作成部が、表示優先順位が２位以下の画像のうちの１つの画像の、前記指定領域受信部で受信された領域指定データに基づく領域内の部分画像を表わす下位画像データを作成するものであることを特徴とする請求項１０記載の情報処理装置。
【請求項１２】
画像データに基づく画像を表示画面に表示させる情報処理装置から送信されてきた画像データに基づく画像を表示画面に表示させる表示装置であって、
前記情報処理装置により表示させた表示画面上の領域を操作者による操作に応じて移動自在に指定する領域指定部と、
前記領域指定部で指定された前記表示画面上の領域を表わす領域指定データを前記情報処理装置に向けて送信する指定領域送信部と、
前記情報処理装置から送信されてきた、該情報処理装置における表示優先順位が２位以下の画像のうちの１つの画像の、前記領域指定データに基づく領域内の部分画像を表わす下位画像データを受信する画像受信部と、
前記画像受信部で受信された下位画像データに基づく部分画像を前記表示画面に表示させる表示制御部とを有することを特徴とする表示装置。
【請求項１３】
画像データに基づく画像を表示する第１表示画面と、該第１表示画面への表示が指示された画像が複数存在する場合の該複数の画像の表示優先順位を記憶するメモリとを有し、該表示画面への表示が指示された画像が複数存在する場合に、該第１表示画面上に、該複数の画像のうちの表示優先順位の低い画像ほど表示優先順位の高い画像の裏に隠れた態様の複合画像を表示する第１表示装置、および、該第１表示装置から送信されてきた画像データに基づく画像を表示する第２表示画面を有する第２表示装置を有する画像表示システムにおける、該第２表示画面に画像を表示する画像表示方法であって、
当該第１表示装置において実行される、
前記第１表示画面に表示された複合画像を構成する表示優先順位が２位以下の画像のうちの１つの画像の少なくとも一部分を表わす下位画像データを作成する下位画像作成ステップと、
前記下位画像作成ステップで作成された下位画像データを前記第２表示装置に向けて送信する画像送信ステップと、
前記第２表示装置において実行される、
前記第１表示装置から送信されてきた前記下位画像データを受信する画像受信ステップと、
前記画像受信ステップで受信された下位画像データに基づく部分画像を前記第２表示画面に表示させる表示制御ステップとを有することを特徴とする画像表示方法。
【発明の詳細な説明】
【技術分野】
【０００１】
画像を表示する画像表示システム、その画像表示システムにおける情報処理装置、表示装置、および、その画像表示システムで画像を表示する画像表示方法に関する。
【背景技術】
【０００２】
従来、コンピュータシステムでは、表示画面への画像表示の際、複数の画像が次々と表示画面上に呼び出されると、新しく呼び出された画像が既に呼び出されて表示されている画像の上に重ねられた態様の複合画像が表示される。また、新しく呼び出された画像のサイズによっては、複合画像が、その新しく呼び出された画像で占められることもある。【０００３】
このような複合画像において、他の画像で見かけ上覆われている画像の閲覧は、例えば次のような処理によって可能となる。【０００４】
例えば、閲覧希望対象の画像を指定するユーザからの指定操作に応じて、その画像を覆っている他の画像の上に、その閲覧希望対象の画像全部あるいは一部を見かけ上重ねて表示するといった処理がある。【０００５】
また、近年、コンピュータシステムが備える表示画面と、そのコンピュータシステムに対する補助的な画像表示を行なう表示装置の表示画面との２つの表示画面を使って画像表示を行なう技術が広まりつつある。このような技術において、コンピュータシステムの表示画面上で他の画像に見かけ上覆われている画像を閲覧するための処理として、例えば次のような処理が知られている。この処理では、ユーザからの操作に応じて、閲覧希望対象の画像を隠している他の画像が、コンピュータシステムの表示画面上から、補助的な画像表示を行なう表示装置の表示画面上に移動される。その結果、コンピュータシステムの表示画面上では、閲覧希望対象の画像を覆っている他の画像が除かれて、その閲覧希望対象の画像の閲覧が可能となる。
【先行技術文献】
【特許文献】
【０００６】
【特許文献１】特開２００１−１７５４５０号公報
【特許文献２】特開平１０−２６９０５３号公報
【特許文献３】特開２０００−１７２３９９号公報
【非特許文献】
【０００７】
【非特許文献１】インターネット＜ＵＲＬ：ｈｔｔｐ：／／ｗｗｗ．ｃｅｎｔｕｒｙ．ｃｏ．ｊｐ／ｐｒｏｄｕｃｔｓ／ｐｃ／ｍｏｎｉｔｏｒ／ｌｃｄ−４３００ｕ．ｈｔｍｌ＞
【非特許文献２】インターネット＜ＵＲＬ：ｈｔｔｐ：／／ｗｗｗ．ｆｍｗｏｒｌｄ．ｎｅｔ／ｆｍｖ／ｐｃｐｍ０８１２／ｂｉｂｌｏ＿ｌｏｏｘ／ｎｗ／ｉｎｄｅｘ．ｈｔｍｌ？ｆｍｗｆｒｏｍ＝ｆｍｖ＿ｓｅｒｉｅｓｌｉｓｔ＞
【発明の概要】
【発明が解決しようとする課題】
【０００８】
しかしながら、他の画像によって見かけ上覆われている画像の閲覧を可能とする上記の技術では、いずれの技術でも、閲覧希望対象の画像が他の画像で覆われているという現時点における態様を崩すこととなってしまう。一方で、このような態様において他の画像によって見かけ上覆われている画像を閲覧するに当たり、現時点における態様を崩したくないという要望もある。【０００９】
本件は上記事情に鑑み、閲覧希望対象の画像が他の画像に隠れた態様を崩すことなく閲覧希望対象の画像を閲覧することができる画像表示ステム、情報処理装置、表示装置、および画像表示方法を提供することを目的とするものである。
【課題を解決するための手段】
【００１０】
上記目的を達成する画像表示システムは、画像データに基づく画像を表示する表示画面を有する第１表示装置と、その第１表示装置から送信されてきた画像データに基づく画像を表示する表示画面を有する第２表示装置とを有する画像表示システムである。【００１１】
そして、上記第１表示装置が、メモリと、画像合成部と、第１の表示制御部と、下位画像作成部と、画像送信部とを有する。【００１２】
メモリは、上記第１表示装置の表示画面への表示が指示された画像が複数存在する場合のその複数の画像の表示優先順位を記憶するものである。【００１３】
画像合成部は、上記複数の画像のうちの表示優先順位の低い画像ほど表示優先順位の高い画像の裏に隠れた態様の複合画像を表わす複合画像データを作成するものである。【００１４】
第１の表示制御部は、上記画像合成部で生成された複合画像データに基づく複合画像を上記第１表示装置の表示画面に表示させるものである。【００１５】
下位画像作成部は、表示優先順位が２位以下の画像のうちの１つの画像の少なくとも一部分を表わす下位画像データを作成するものである。【００１６】
画像送信部は、上記下位画像作成部で作成された下位画像データを上記第２表示装置に向けて送信するものである。【００１７】
また、上記第２表示装置が、画像受信部と、第２の表示制御部とを有する。【００１８】
画像受信部は、上記第１表示装置から送信されてきた上記下位画像データを受信するものである。【００１９】
第２の表示制御部は、上記画像受信部で受信された下位画像データに基づく部分画像を上記第２表示装置の表示画面に表示させるものである。【００２０】
また、上記目的を達成する情報処理装置は、画像データに基づく画像を表示画面に表示させるものであって、メモリと、画像合成部と、制御部と、下位画像作成部と、画像送信部とを有する。【００２１】
メモリは、上記情報処理装置から表示画面への表示が指示された画像が複数存在する場合のその複数の画像の表示優先順位を記憶するものである。【００２２】
画像合成部は、上記複数の画像のうちの表示優先順位の低い画像ほど表示優先順位の高い画像の裏に隠れた態様の複合画像を表わす複合画像データを作成するものである。【００２３】
制御部は、上記画像合成部で生成された複合画像データに基づく複合画像を上記表示画面に表示させるものである。【００２４】
下位画像作成部は、表示優先順位が２位以下の画像のうちの１つの画像の少なくとも一部分を表わす下位画像データを作成するものである。【００２５】
画像送信部は、画像データを受信し、受信した画像データに基づく画像を表示する表示画面を有する表示装置に向けて、上記下位画像作成部で作成された下位画像データを送信するものである。【００２６】
また、上記目的を達成する表示装置は、画像データに基づく画像を表示画面に表示させる情報処理装置から送信されてきた画像データに基づく画像を表示画面に表示させるものである。この表示装置は、領域指定部と、指定領域送信部と、画像受信部と、表示制御部とを有する。【００２７】
領域指定部は、上記情報処理装置により表示させた表示画面上の領域を操作者による操作に応じて移動自在に指定するものである。【００２８】
指定領域送信部は、上記領域指定部で指定された上記表示画面上の領域を表わす領域指定データを上記情報処理装置に向けて送信するものである。【００２９】
画像受信部は、上記情報処理装置から送信されてきた、その情報処理装置における表示優先順位が２位以下の画像のうちの１つの画像の、上記領域指定データに基づく領域内の部分画像を表わす下位画像データを受信するものである。【００３０】
表示制御部は、上記画像受信部で受信された下位画像データに基づく部分画像を上記表示画面に表示させるものである。【００３１】
また、上記目的を達成する画像表示方法は、上記画像表示システムで画像を表示する画像表示方法である。そして、この画像表示方法は、下位画像作成ステップと、画像送信ステップと、画像受信ステップと、表示制御ステップとを有する。【００３２】
下位画像作成ステップは、上記第１表示装置において、上記第１表示画面に表示された複合画像を構成する表示優先順位が２位以下の画像のうちの１つの画像の少なくとも一部分を表わす下位画像データを作成するステップである。【００３３】
画像送信ステップは、上記第１表示装置において、上記下位画像作成ステップで作成された下位画像データを上記第２表示装置に向けて送信するステップである。【００３４】
画像受信ステップは、上記第２表示装置において、上記第１表示装置から送信されてきた上記下位画像データを受信するステップである。【００３５】
表示制御ステップは、上記第２表示装置において、上記画像受信ステップで受信された下位画像データに基づく部分画像を上記第２表示画面に表示させるステップである。
【発明の効果】
【００３６】
本件によれば、閲覧希望対象の画像が他の画像に隠れた態様を崩すことなく閲覧希望対象の画像を閲覧することができる。
【図面の簡単な説明】
【００３７】
【図１】本件の画像表示システムおよび第１表示装置の第１実施形態を示す図である。
【図２】図１の画像表示システムで実行される、本件の画像表示方法の第１実施形態を示すフローチャートである。
【図３】本件の表示装置の第１実施形態を示す図である。
【図４】本件の画像表示システムの第２実施形態を示す図である。
【図５】図４の画像表示システムで行なわれる画像表示を模式的に示す図である。
【図６】図４に示すサブディスプレイ装置の拡大図である。
【図７】図４に示す画像表示システムのハードウェア構成図である。
【図８】図４に示す画像表示システムを示す機能ブロックを示す図である。
【図９】図８に示す機能ブロックと図７に示す構成要素との対応関係を示す図である。
【図１０】図８に示す機能ブロックを有する画像表示システムにおいて実行される画像表示処理の流れを示すフローチャートである。
【図１１】初期位置決定処理を模式的に示す図である。
【図１２】位置データ作成部がサブディスプレイに表示させる領域指定方法選択画面を示す図である。
【図１３】下位画像表示処理の流れを示すフローチャートの前半を示す図である。
【図１４】下位画像表示処理の流れを示すフローチャートの後半を示す図である。
【図１５】サブディスプレイ装置の初期位置を表わす位置データと、メインディスプレイ上での領域の初期位置との対応関係を示す図である。
【図１６】サブディスプレイ装置の任意の装置位置を表わす位置データと、メインディスプレイ上での領域の位置との対応関係を示す図である。
【図１７】タッチセンサに対するタッチ操作を示す模式図である。
【図１８】タッチ位置を使った位置データの作成について模式的に示す図である。
【図１９】倍率を指定するためのボタン操作を示す模式図である。
【図２０】画像を指定するためのボタン操作を示す模式図である。
【図２１】画像データ群と、その画像データ群から求められる下位画像データとを模式的に示す図である。
【図２２】図４の画像表示システムで行なわれる画像表示の一例について模式的に示す図である。
【図２３】図２２の例において表示優先順位が２位の下位画像であるウィンドウ画面について領域が設定される様子を示す模式図である。
【図２４】図２２の例において表示優先順位が３位の下位画像であるデスクトップ画面について領域が設定される様子を示す模式図である。
【発明を実施するための形態】
【００３８】
以下、本件の画像表示システム、第１表示装置、第２表示装置、および画像表示方法の具体的な実施形態について、図面を参照して説明する。
【００３９】
まず、第１実施形態について説明する。
【００４０】
図１は、本件の画像表示システムおよび第１表示装置の第１実施形態を示す図である。
【００４１】
この図１に示す画像表示システム１は、次のような第１表示装置１０と第２表示装置２０とを有する画像表示システムである。第１表示装置１０は、画像データに基づく画像を表示する第１表示画面１１を有するものである。そして、第２表示装置２０は、その第１表示装置１０から送信されてきた画像データに基づく画像を表示する第２表示画面２１を有するものである。
【００４２】
そして、上記第１表示装置１０が、メモリ１２と、画像合成部１３と、第１の表示制御部１４と、下位画像作成部１５と、画像送信部１６とを有する。
【００４３】
メモリ１２は、上記第１表示画面１１への表示が指示された画像が複数存在する場合のその複数の画像の表示優先順位を記憶するものである。
【００４４】
画像合成部１３は、上記複数の画像のうちの表示優先順位の低い画像ほど表示優先順位の高い画像の裏に隠れた態様の複合画像を表わす複合画像データを作成するものである。
【００４５】
第１の表示制御部１４は、上記画像合成部１３で生成された複合画像データに基づく複合画像を上記第１表示画面１１に表示させるものである。
【００４６】
下位画像作成部１５は、表示優先順位が２位以下の画像のうちの１つの画像の少なくとも一部分を表わす下位画像データを作成するものである。
【００４７】
画像送信部１６は、上記下位画像作成部１５で作成された下位画像データを上記第２表示装置２０に向けて送信するものである。
【００４８】
また、上記第２表示装置２０が、画像受信部２２と、第２の表示制御部２３とを有する。
【００４９】
画像受信部２２は、上記第１表示装置１０から送信されてきた上記下位画像データを受信するものである。
【００５０】
第２の表示制御部２３は、上記画像受信部２２で受信された下位画像データに基づく部分画像を上記第２表示画面２１に表示させるものである。
【００５１】
図２は、図１の画像表示システムで実行される、本件の画像表示方法の第１実施形態を示すフローチャートである。
【００５２】
図２のフローチャートが示す画像表示方法は、下位画像作成ステップ（Ｓ１）と、画像送信ステップ（Ｓ２）と、画像受信ステップ（Ｓ３）と、表示制御ステップ（Ｓ４）とを有する。
【００５３】
下位画像作成ステップ（Ｓ１）は、上記第１表示装置１０において、上記第１表示画面１１に表示された複合画像を構成する表示優先順位が２位以下の画像のうちの１つの画像の少なくとも一部分を表わす下位画像データを作成するステップである。
【００５４】
画像送信ステップ（Ｓ２）は、上記第１表示装置において、上記下位画像作成ステップ（Ｓ１）で作成された下位画像データを上記第２表示装置２０に向けて送信するステップである。
【００５５】
画像受信ステップ（Ｓ３）は、上記第２表示装置２０において、上記第１表示装置１０から送信されてきた上記下位画像データを受信するステップである。
【００５６】
表示制御ステップ（Ｓ４）は、上記第２表示装置２０において、上記画像受信ステップ（Ｓ３）で受信された下位画像データに基づく部分画像を上記第２表示画面２１に表示させるステップである。
【００５７】
画像表示システム１では、第１表示装置１０の第１表示画面１１上で、上記のメモリ中で表示優先順位の低い画像が、表示優先順位の高い画像の裏に見かけ上隠れることとなる。ここで、この画像表示システム１では、表示優先順位が２位以下の画像のうちの１つの画像について、上記下位画像データが作成される。そして、下位画像データが、第１表示装置１０から第２表示装置２０に送信され、第２表示装置２０の第２表示画面２１上にその下位画像データが表わす画像が表示される。その結果、ユーザは、第１表示画面１１上で他の画像の裏に見かけ上隠れている閲覧希望対象の画像を、第２表示装置２０の第２表示画面２１上で閲覧することができる。一方、第１表示装置１０の第１表示画面１１上には、その閲覧希望対象の画像が他の画像の裏に隠れた態様の複合画像がそのまま表示されている。
【００５８】
つまり、本実施形態の画像表示システム１、第１表示装置１０、および画像表示方法によれば、閲覧希望対象の画像が他の画像に隠れた態様を崩すことなく閲覧希望対象の画像を閲覧することができる。
【００５９】
図３は、本件の表示装置の第１実施形態を示す図である。
【００６０】
この図３に示す表示装置３０は、画像データに基づく画像を表示画面に表示させる情報処理装置から送信されてきた画像データに基づく画像を表示画面３１に表示させるものである。そして、この表示装置３０は、領域指定部３２と、指定領域送信部３３と、画像受信部３４と、表示制御部３５とを有している。
【００６１】
領域指定部３２は、上記情報処理装置により表示させた表示画面３１上の領域を操作者による操作に応じて移動自在に指定するものである。
【００６２】
指定領域送信部３３は、上記領域指定部３２で指定された上記表示画面３１上の領域を表わす領域指定データを上記情報処理装置に向けて送信するものである。
【００６３】
画像受信部３４は、上記情報処理装置から送信されてきた、その情報処理装置における表示優先順位が２位以下の画像のうちの１つの画像の、上記領域指定データに基づく領域内の部分画像を表わす下位画像データを受信するものである。
【００６４】
表示制御部３５は、上記画像受信部３４で受信された下位画像データに基づく部分画像を上記表示画面３１に表示させるものである。
【００６５】
この図３の表示装置３０によれば、情報処理装置における表示優先順位が２位以下で他の画像の裏に隠れている画像の閲覧を希望する場合、ユーザは、その画像を上記表示画面３１上で閲覧することができる。また、この画像の閲覧に当たっては、情報処理装置に対する、情報処理装置の表示画面上での表示態様の変更が不要である。つまり、本実施形態の表示装置３０によれば、閲覧希望対象の画像が他の画像に隠れた態様を崩すことなく閲覧希望対象の画像を閲覧することができる。さらに、この図３の表示装置３０では、閲覧希望対象の画像中の、領域が指定されて、表示画面３１には、その指定された領域内の部分画像が表示される。これにより、ユーザは、閲覧希望対象の画像における、特に閲覧を希望する部分を上記表示画面３１上でピンポイントで閲覧することができる。
【００６６】
次に、第２実施形態について説明する。
【００６７】
図４は、本件の画像表示システムの第２実施形態を示す図である。
【００６８】
この図４に示す画像表示システム２は、パーソナルコンピュータ１００と、サブディスプレイ装置２００とを有している。
【００６９】
パーソナルコンピュータ１００は、各種情報処理を実行する本体装置１００ａと、この本体装置１００ａから供給される画像データに基づく画像を表示するメインディスプレイ１０１とを有している。このパーソナルコンピュータ１００が、本件の画像表示システムにおける第１表示装置の一例に相当する。また、このパーソナルコンピュータ１００は、本件の情報処理装置の第２実施形態にも相当している。また、メインディスプレイ１０１が、本件の画像表示システムにおける第１表示装置および情報処理装置それぞれにおける表示画面の一例に相当する。
【００７０】
サブディスプレイ装置２００は、パーソナルコンピュータ１００から電波による無線通信で送信されてきた画像データに基づく画像を表示するサブディスプレイ２０１を有している。このサブディスプレイ装置２００が、本件の画像表示システムにおける第２表示装置の一例に相当する。また、このサブディスプレイ装置２００は、本件の表示装置の第２実施形態にも相当している。また、サブディスプレイ２０１が、本件の画像表示システムにおける第２表示装置および表示装置それぞれにおける表示画面の一例に相当する。
【００７１】
この図４に示す画像表示システム２では、概略、次のような画像表示が行なわれる。
【００７２】
図５は、図４の画像表示システムで行なわれる画像表示を模式的に示す図である。
【００７３】
パーソナルコンピュータ１００では、この図５に示すように、メインディスプレイ１０１上に、複数の画像について表示を指示することができる。そして、パーソナルコンピュータ１００では、複数の画像について次々と表示が指示されると、新しく指示された画像が既に表示されている画像の上に重ねられた態様の複合画像が表示される。以下、新しく指示されてメインディスプレイ１０１上で前面に表示されている画像を上位画像と呼び、この上位画像の裏に隠れている画像を下位画像と呼ぶ。
【００７４】
図５には、２つの画像のうちの上位画像Ｇａが下位画像Ｇｂの上に重ねられた態様の複合画像Ｇｃがメインディスプレイ１０１上に表示された様子が図示されている。
【００７５】
ここで、本実施形態では、サブディスプレイ装置２００において、メインディスプレイ１０１上の任意の領域Ａ１がユーザによる操作に応じて移動自在に指定される。
【００７６】
すると、このサブディスプレイ装置２００のサブディスプレイ２０１上に、メインディスプレイ１０１上で上位画像の裏に隠れている下位画像におけるその指定された領域Ａ１内の部分画像が表示される。また、このときには、メインディスプレイ１０１上には上記の複合画像が表示されたままとなっている。図５には、サブディスプレイ２０１上に、下位画像Ｇｂにおける領域Ａ１内の部分画像が表示され、メインディスプレイ１０１上に複合画像Ｇｃが表示されている様子が図示されている。
【００７７】
このように、本実施形態の画像表示システム２では、メインディスプレイ１０１上における、ある画像が他の画像に隠れた態様を崩すことなく、その隠れた画像をサブディスプレイ２０１上で閲覧することができる。
【００７８】
以下、図５を参照して概略的に説明した画像表示を実現させるための画像表示システム２の構成、および、この画像表示システム２で実行される画像表示処理について詳細に説明する。
【００７９】
図６は、図４に示すサブディスプレイ装置の拡大図である。
【００８０】
このサブディスプレイ装置２００は、ユーザにより自在に移動されるものとなっている。そして、このサブディスプレイ装置２００は、三次元加速度センサを用いて、このサブディスプレイ装置２００の位置（装置位置）を検出する空中マウス２０２を有している。
【００８１】
また、このサブディスプレイ装置２００におけるサブディスプレイ２０１には、ユーザによるサブディスプレイ２０１上のタッチ位置を検出するタッチセンサ２０３が組み込まれている。
【００８２】
本実施形態では、メインディスプレイ１０１上の領域Ａ１が、基本的には、空中マウス２０２で検出された装置位置あるいはタッチセンサ２０３で検出されたタッチ位置を使って指定される。そして、サブディスプレイ装置２００は、このように領域Ａ１を指定する領域指定データをパーソナルコンピュータ１００に向けて電波による無線通信によって送信する領域指定用送受信機２０４を有している。
【００８３】
パーソナルコンピュータ１００では、サブディスプレイ装置２００から領域指定データが送信されてくると、上記の下位画像における、その領域指定データが指定する領域Ａ１内の部分画像を表わす下位画像データが作成される。そして、パーソナルコンピュータ１００では、その作成した下位画像データがサブディスプレイ装置２００に向かって送信される。サブディスプレイ装置２００は、そのパーソナルコンピュータ１００から電波による無線通信によって送信されてきた下位画像データを受信する画像用送受信機２０５を有している。さらに、このサブディスプレイ装置２００は、操作の詳細について後述するＡ、Ｂ２つの操作ボタン２０６，２０７を有している。
【００８４】
図７は、図４に示す画像表示システムのハードウェア構成図である。
【００８５】
画像表示システム２が有するパーソナルコンピュータ１００は、図４にも示すメインディスプレイ１０１の他に、ＣＰＵ１０２、メモリ１０３、ＨＤＤ（Ｈａｒｄ  Ｄｉｓｋ  Ｄｒｉｖｅ）１０４を有している。ＣＰＵ１０２は、このパーソナルコンピュータ１００における情報処理全般を担うものである。メモリ１０３は、そのＣＰＵ１０２での情報処理に必要な各種プログラムやデータが記憶されるものである。ＨＤＤ１０４は、各種プログラムやデータを内蔵の磁気ディスクに記憶する大容量の情報記憶装置である。
【００８６】
また、このパーソナルコンピュータ１００は、領域指定用送受信機１０５と画像用送受信機１０６とを有している。パーソナルコンピュータ１００の領域指定用送受信機１０５は、サブディスプレイ装置２００の領域指定用送受信機２０３から電波による無線通信によって送信されてきた領域指定データを受信するものである。また、パーソナルコンピュータ１００の画像用送受信機１０６は、上記の下位画像データをサブディスプレイ装置２００に向けて電波による無線通信によって送信するものである。
【００８７】
さらに、このパーソナルコンピュータ１００は、メインディスプレイ１０１における画像表示を制御するグラフィックコントローラ１０７と、上記の各構成要素に電力を供給する電源１０８とを有している。
【００８８】
画像表示システム２が有するサブディスプレイ装置２００は、図４にも示す構成要素の他に、次のような構成要素を有している。
【００８９】
このサブディスプレイ装置２００は、ＣＰＵ２０８とメモリ２０９を有している。ＣＰＵ２０８は、このサブディスプレイ装置２００における情報処理全般を担うものである。メモリ２０９は、そのＣＰＵ２０８での情報処理に必要な各種プログラムやデータが記憶されるものである。さらに、このサブディスプレイ装置２００は、サブディスプレイ２０１における画像表示を制御するグラフィックコントローラ２１０と、このサブディスプレイ装置２００における各構成要素に電力を供給する電源２１１を有している。
【００９０】
図５を参照して説明した画像表示は、この図７に示すパーソナルコンピュータ１００およびサブディスプレイ装置２００それぞれの各構成要素によって次のような機能ブロックが構築されることで実現される。
【００９１】
図８は、図４に示す画像表示システムを示す機能ブロックを示す図である。また、図９は、図８に示す機能ブロックと図７に示す構成要素との対応関係を示す図である。
【００９２】
この図８に示すようにパーソナルコンピュータ１００は、機能ブロックとして、表示優先順位記憶部１５１と、画像合成部１５２と、第１の表示制御部１５３とを有している。
【００９３】
表示優先順位記憶部１５１は、メインディスプレイ１０１への表示が指示された画像が複数存在する場合、それら複数の画像の表示優先順位を記憶するものである。上述したように、パーソナルコンピュータ１００では、複数の画像について次々と表示が指示されると、新しく指示された画像が既に表示されている画像の上に重ねられた態様の複合画像が表示される。パーソナルコンピュータ１００では、表示が指示された画像に１位の表示優先順位が振られ、表示優先順位記憶部１５１に記憶される。このとき、既に表示中の画像があった場合には、その画像について表示優先順位記憶部１５１に記憶されている表示優先順位が「１」だけ繰下げられる。その結果、新しく表示が指示された画像の表示優先順位が必ず１位となる。また、この表示優先順位は、メインディスプレイ１０１上でのユーザの操作を受けて変更自在となっている。例えば、図５に示すように下位画像の一部が上位画像の下から覗いている場合、その覗いている一部に対してメインディスプレイ１０１上でクリック操作が施されると、その下位画像の表示優先順位が１位に変更される。また、表示優先順位記憶部１５１に記憶されている表示優先順位の変更は、不図示のメニュー画面における選択操作等によっても行なうことができる。表示優先順位記憶部１５１は、図７および図９に示すパーソナルコンピュータ１００のメモリ１０２内における予め決められたアドレス領域に相当する。この表示優先順位記憶部１５１が、本件の画像表示システムの第１表示装置および本件の情報処理装置におけるメモリの一例に相当する。
【００９４】
画像合成部１５２は、上記の表示優先順位記憶部１５１の記憶内容に基づいて、複数の画像のうちの表示優先順位の低い画像ほど表示優先順位の高い画像の裏に隠れた態様の複合画像を表わす複合画像データＧ０を作成するものである。この画像合成部１５２は、図７および図９に示すパーソナルコンピュータ１００のＣＰＵ１０２によって構築される。この画像合成部１５２が、本件の画像表示システムの第１表示装置および本件の情報処理装置における画像合成部の一例に相当する。
【００９５】
第１の表示制御部１５３は、画像合成部１５２で生成された複合画像データＧ０が表わす複合画像をメインディスプレイ１０１に表示させるものである。この第１の表示制御部１５３は、図７および図９に示すパーソナルコンピュータ１００のＣＰＵ１０２とグラフィックコントローラ１０７とによって構築される。この第１の表示制御部１５３が、本件の画像表示システムの第１表示装置および本件の情報処理装置における第１の表示制御部の一例に相当する。
【００９６】
また、パーソナルコンピュータ１００は、機能ブロックとして、指定領域受信部１５４と、位置データ検出部１５５と、位置データ変換部１５６とを有している。
【００９７】
指定領域受信部１５４は、サブディスプレイ装置２００から電波による無線通信によって送信されてきた領域指定データＩａを受信するものである。ここで、上述したように、領域指定データＩａは、メインディスプレイ１０１上の領域Ａ１を、基本的には、空中マウス２０２で検出された装置位置あるいはタッチセンサ２０３で検出されたタッチ位置を使って指定する。このため、領域指定データＩａには、これらの装置位置あるいはタッチ位置を表わす位置データＩｓが含まれている。この他にも、領域指定データＩａには、倍率データＩｂが含まれている。倍率データＩｂは、領域Ａ１について予め決められている初期サイズに対する「１．０」以上の倍率を表わすデータである。また、指定領域受信部１５４では、この領域指定データＩａとともに、画像指定データＩｇが受信される。画像指定データＩｇは、下位画像が複数存在する場合に、サブディスプレイ装置２００に下位画像データを送るべき下位画像を指定するデータである。この指定領域受信部１５４は、図７および図９に示すパーソナルコンピュータ１００の領域指定用送受信機１０５によって構築される。
【００９８】
位置データ検出部１５５は、指定領域受信部１５４で受信された領域指定データＩａから上記の位置データＩｓを抽出するものである。この位置データ検出部１５５は、図７および図９に示すパーソナルコンピュータ１００のＣＰＵ１０２によって構築される。
【００９９】
位置データ変換部１５６は、位置データ検出部１５５で抽出された、サブディスプレイ装置２００の装置位置あるいはタッチ位置を表わす位置データＩｓを、メインディスプレイ１０１上での領域Ａ１の位置を表わす領域位置データＩｍに変換するものである。ここで、位置データＩｓから領域位置データＩｍへの変換処理では、上記の領域指定データＩａに含まれる倍率データＩｂも使われる。この変換処理の詳細については後述する。この位置データ変換部１５６は、図７および図９に示すパーソナルコンピュータ１００のＣＰＵ１０２によって構築される。
【０１００】
さらに、パーソナルコンピュータ１００は、機能ブロックとして、サイズ記憶部１５７と、画像データ検出部１５８と、画像データ変換部１５９と、画像データ送信部１６０とを有している。
【０１０１】
サイズ記憶部１５７は、領域Ａ１について予め決められている初期サイズを記憶するものである。本実施形態では、この初期サイズが、サブディスプレイ装置２００におけるサブディスプレイ２０１の画面サイズに設定されている。サイズ記憶部１５７は、図７および図９に示すパーソナルコンピュータ１００のメモリ１０２内における予め決められたアドレス領域に相当する。
【０１０２】
画像データ検出部１５８は、まず、上記の領域位置データＩｍが表わす位置に、上記の初期サイズに上記の倍率データＩｂが表わす倍率を乗じたサイズの領域Ａ１を設定する。この領域Ａ１の設定処理の詳細については後述する。次に、画像データ検出部１５８は、メインディスプレイ１０１上に表示中の上記の複合画像の元となった１つ以上の画像それぞれについて、その設定した領域Ａ１内の部分画像を表わす画像データを求める。メインディスプレイ１０１に表示が指示されている画像が１つのときには、ここで求められる画像データは１つである。一方で、表示が指示されている画像が複数のときには、複数の画像データの群が求められる。ただし、説明を簡単なものとするため、以下では、画像の表示数が１つの場合と複数の場合とで特に区別せずに、画像データ検出部１５８で求められるものを画像データ群Ｇｍと呼ぶ。この画像データ検出部１５８は、図７および図９に示すパーソナルコンピュータ１００のグラフィックコントローラ１０７によって構築される。
【０１０３】
画像データ変換部１５９は、まず、画像データ検出部１５８で求められた画像データ群Ｇｍから、上記の画像指定データＩｇが指定する画像の画像データを抽出する。次に、画像データ変換部１５９は、抽出した画像データに対し、サブディスプレイ２０１の出力プロファイルに応じた等色変換処理を施す。これにより、サブディスプレイ装置２００に送信する下位画像データＧｓが完成する。この画像データ変換部１５９は、図７および図９に示すパーソナルコンピュータ１００のＣＰＵ１０２によって構築される。
【０１０４】
上記の画像データ検出部１５８と画像データ変換部１５９とを合わせたものが、本件の画像表示システムの第１表示装置および本件の情報処理装置における下位画像作成部の一例に相当する。
【０１０５】
下位画像データ送信部１６０は、画像データ変換部１５９で求められた下位画像データＧｓをサブディスプレイ装置２００に向けて電波による無線通信によって送信するものである。この下位画像データ送信部１６０は、図７および図９に示すパーソナルコンピュータ１００の画像用送受信機１０６によって構築される。この下位画像データ送信部１６０が、本件の画像表示システムの第１表示装置および本件の情報処理装置における画像送信部の一例に相当する。
【０１０６】
また、図８に示すようにサブディスプレイ装置２００は、機能ブロックとして、初期位置決定部２５１と、位置データ作成部２５２と、倍率データ作成部２５３と、画像指定データ作成部２５４と、指定領域送信部２５５とを有している。
【０１０７】
上述したようにサブディスプレイ装置２００は、ユーザにより自在に移動され、このサブディスプレイ装置２００の装置位置が上記の空中マウス２０２によって検出されるようになっている。
【０１０８】
初期位置決定部２５１は、このサブディスプレイ装置２００の移動の初期位置、即ち装置位置の原点を、後述の初期位置決定処理においてユーザによるタッチセンサ２０３へのタッチが検出されたときの装置位置に決定するものである。この初期位置決定部２５１は、図７および図９に示すサブディスプレイ装置２００のタッチセンサ２０３とＣＰＵ２０８によって構築される。
【０１０９】
位置データ作成部２５２は、空中マウス２０２あるいはタッチセンサ２０３での検出結果に基づいて位置データＩｓを作成する。この位置データＩｓの作成処理については後述する。この位置データ作成部２５２は、図７および図９に示すサブディスプレイ装置２００の空中マウス２０２とタッチセンサ２０３とＣＰＵ２０８によって構築される。
【０１１０】
倍率データ作成部２５３は、詳細については後述するＡボタン２０６に対するユーザ操作を受けて、上記の倍率データＩｂを作成するものである。この倍率データ作成部２５３は、図７および図９に示すサブディスプレイ装置２００のＡボタン２０６とＣＰＵ２０８とによって構築される。
【０１１１】
画像指定データ作成部２５４は、詳細については後述するＢボタン２０７に対するユーザ操作を受けて、上記の画像指定データＩｇを作成するものである。この画像指定データ作成部２５４は、図７および図９に示すサブディスプレイ装置２００のＢボタン２０７とＣＰＵ２０８とによって構築される。
【０１１２】
上記の位置データ作成部２５２と、倍率データ作成部２５３と、画像指定データ作成部２５４とを合わせたものが、本件の表示装置における領域指定部の一例に相当する。
【０１１３】
指定領域送信部２５５は、位置データ作成部２５２で作成された位置データＩｓと倍率データ作成部２５３で作成された倍率データＩｂとの組を領域指定データＩａとしてパーソナルコンピュータ１００に向けて電波による無線通信によって送信するものである。また、本実施形態では、この指定領域送信部２５５は、その領域指定データＩａに、画像指定データ作成部２５４で作成された画像指定データＩｇを添付して送信する。この指定領域送信部２５５は、図７および図９に示すサブディスプレイ装置２００の領域指定用送受信機２０４とＣＰＵ２０８とによって構築される。この指定領域送信部２５５が、本件の表示装置における指定領域送信部の一例に相当する。
【０１１４】
また、サブディスプレイ装置２００は、機能ブロックとして、下位画像データ受信部２５６と、第２の表示制御部２５７とを有している。
【０１１５】
下位画像データ受信部２５６は、パーソナルコンピュータ１００から電波による無線通信によって送信されてきた上記の下位画像データＧｓを受信するものである。この下位画像データ受信部２５６は、図７および図９に示すサブディスプレイ装置２００の画像用送受信機２０５によって構築される。この下位画像データ受信部２５６が、本件の画像表示システムの第２表示装置および本件の表示装置画像受信部の一例に相当する。
【０１１６】
第２の表示制御部２５７は、下位画像データ受信部２５６で受信された下位画像データＧｓが表わす部分画像をサブディスプレイ２０１上に表示させるものである。この第２の表示制御部２５７は、図７および図９に示すサブディスプレイ装置２００のＣＰＵ２０８とグラフィックコントローラ２１０とによって構築される。この第２の表示制御部２５７が、本件の画像表示システムの第２表示装置および本件の表示装置第２の表示制御部の一例に相当する。
【０１１７】
以上に説明した機能ブロックを有する画像表示システム２において実行される画像表示処理について、ここまでの説明と若干重複する内容もあるが、以下に詳細に説明する。
【０１１８】
図１０は、図８に示す機能ブロックを有する画像表示システムにおいて実行される画像表示処理の流れを示すフローチャートである。
【０１１９】
このフローチャートが示す画像表示処理が、本件の画像表示方法の第２実施形態に相当する。
【０１２０】
このフローチャートが示す画像表示処理は、画像表示システム２のパーソナルコンピュータ１００において電源が投入されるとスタートする。
【０１２１】
処理がスタートすると、まず、画像合成部１５２が、メインディスプレイ１０１への表示が指示された画像について、表示優先順位記憶部１５１の記憶内容に基づいて、上記の複合画像を表わす複合画像データＧ０を作成する（ステップＳ１１）。
【０１２２】
次に、第１の表示制御部１５３が、画像合成部１５２で生成された複合画像データＧ０が表わす複合画像をメインディスプレイ１０１に表示させる（ステップＳ１２）。
【０１２３】
サブディスプレイ装置２００に電源が投入されるまでは（ステップＳ１３におけるＮｏ判定）、上記のステップＳ１１の処理とステップＳ１２の処理とが繰返し実行される。
【０１２４】
一方、サブディスプレイ装置２００に電源が投入されると（ステップＳ１３におけるＹｅｓ判定）、まず、初期位置決定部２５１において、以下に説明する初期位置決定処理が実行される（ステップＳ１４）。
【０１２５】
図１１は、初期位置決定処理を模式的に示す図である。
【０１２６】
上述したように、初期位置決定部２５１は、サブディスプレイ装置２００の移動の初期位置を、ユーザによるタッチセンサ２０３へのタッチが検出されたときの装置位置に決定する。このため、初期位置決定部２５１は、まず、ユーザに対して、サブディスプレイ装置２００の所望の初期位置への移動と、移動後のサブディスプレイ２０１へのタッチを、次のような初期画面２５１ａを表示させることによって要求する。
【０１２７】
図１１のパート（Ａ）には、初期位置決定部２５１がサブディスプレイ２０１に表示させる初期画面２５１ａが示されている。このパート（Ａ）に示すように、この初期画面２５１ａには、「初期設定をしてください」というメッセージ２５１ａ＿１が記載されている。そして、このメッセージ２５１ａ＿１の下側に、サブディスプレイ装置２００が所望の初期位置に位置した段階でユーザによってタッチされるＯＫボタン２５１ａ＿２が設けられている。
【０１２８】
図１１のパート（Ｂ）には、上記のメッセージ２５１ａ＿１に促されてユーザが行なう動作の一例が示されている。このパート（Ｂ）の例では、ユーザは、初期位置として、メインディスプレイ１０１上の、図中での左上隅にサブディスプレイ装置２００の左上隅が重なる位置を所望している。そして、ユーザが、この所望の位置にサブディスプレイ装置２００を移動して、上記の初期画面２５１ａにおけるＯＫボタン２５１ａ＿２をタッチすると、そのタッチがタッチセンサ２０３によって検出される。すると、初期位置決定部２５１が、空中マウス２０２に、その検出時点から装置位置の検出を開始するように指示する。
【０１２９】
空中マウス２０２は、三次元加速度センサを内蔵している。そして、その三次元加速度センサで随時に検出されるＸＹＺ各軸の加速度に対する時間による２回積分によって、その積分開始時点の位置を原点とする三次元位置座標が求められる。位置データ作成部２５２では、初期位置決定部２５１から上記のように指示を受けると、その指示を受けた時点から加速度に対する２回積分が開始される。その結果、空中マウス２０２において、ユーザが所望する初期位置を原点とした装置位置（三次元位置座標）が検出されることとなる。
【０１３０】
以上に説明した初期位置決定処理（Ｓ１４）が終了すると、図１０のフローチャートでは、位置データ作成部２５２において、以下に説明する領域指定方法選択処理が実行される（ステップＳ１５）。
【０１３１】
上述したように、本実施形態では、メインディスプレイ１０１上の領域Ａ１が、基本的には、空中マウス２０２で検出された装置位置あるいはタッチセンサ２０３で検出されたタッチ位置を使って指定される。即ち、本実施形態では、領域Ａ１の指定方法として、上記の装置位置を使う方法と、タッチ位置を使う方法との２種類の方法が用意されている。このため、位置データ作成部２５２は、まず、これら２種類の方法のうちどちらの方法によって領域Ａ１の指定を行なうかをユーザに選択させるための領域指定方法選択画面をサブディスプレイ２０１上に表示させる。
【０１３２】
図１２は、位置データ作成部がサブディスプレイに表示させる領域指定方法選択画面を示す図である。
【０１３３】
この領域指定方法選択画面２５２ｂには、装置位置を使う方法を指定するときにユーザによってタッチされる空中マウス指定ボタン２５２ｂ＿１が設けられている。さらに、領域指定方法選択画面２５２ｂには、タッチ位置を使う方法を指定するときにユーザによってタッチされるタッチ操作指定ボタン２５２ｂ＿２が設けられている。
【０１３４】
ユーザが、これら２つのボタンのいずれかをタッチすると、そのときに検出されたタッチ位置から、位置データ作成部２５２は、ユーザが選択した領域指定方法を把握する。
【０１３５】
領域指定方法選択処理（Ｓ１５）によって領域指定方法が選択されると、図１０のフローチャートでは、後述のサブルーチンである下位画像表示処理が実行される（ステップＳ１００）。
【０１３６】
この下位画像表示処理（ステップＳ１００）が実行されると、サブディスプレイ装置２００のサブディスプレイ２０１上に、図５に示したように、下位画像Ｇａにおける、指定された領域内の部分画像が表示される。そして、この下位画像表示処理（ステップＳ１００）が、サブディスプレイ装置２００の電源が落とされるまで（ステップＳ１６におけるＹｅｓ判定）繰返し実行される。
【０１３７】
図１３は、下位画像表示処理の流れを示すフローチャートの前半を示す図である。また、図１４は、そのフローチャートの後半を示す図である。
【０１３８】
この下位画像表示処理がスタートすると、位置データ作成部２５２が、上記の領域指定方法選択処理（Ｓ１５）で選択された領域指定方法で位置データＩｓを作成する（Ｓ１０１）。
【０１３９】
まず、領域指定方法として、空中マウス２０２で検出された装置位置（三次元位置座標）を使って領域Ａ１を指定する方法が指定されたときの位置データＩｓの作成について説明する。
【０１４０】
この方法では、空中マウス２０２で検出された装置位置（三次元位置座標）が、そのまま、領域指定データに含まれる位置データＩｓとして採用される。本実施形態では、この装置位置を表わす位置データＩｓは、メインディスプレイ１０１上での領域Ａ１の位置を以下に説明するように指定するデータとして扱われる。
【０１４１】
図１５は、サブディスプレイ装置の初期位置を表わす位置データと、メインディスプレイ上での領域の初期位置との対応関係を示す図である。また、図１６は、サブディスプレイ装置の任意の装置位置を表わす位置データと、メインディスプレイ上での領域の位置との対応関係を示す図である。
【０１４２】
本実施形態では、空中マウス２０２で検出された装置位置（三次元位置座標）は、サブディスプレイ２０１における、図中の左上隅の角の位置として扱われる。また、メインディスプレイ１０１上での領域Ａ１の位置とは、その領域Ａ１における、図中の左上隅の角の位置のことを指す。
【０１４３】
ここで、本実施形態では、メインディスプレイ１０１上での領域Ａ１の初期位置が、メインディスプレイ１０１における、図中の左上隅の角に予め決められている。
【０１４４】
そして、サブディスプレイ装置の初期位置を表わす位置データＩｓ０（０，０，０）におけるｘｙ成分が、メインディスプレイ１０１上での領域Ａ１の初期位置を表わす領域位置データＩｍ０（０，０）として扱われる。さらに、本実施形態では、基本的には、サブディスプレイ装置の任意の位置を表わす位置データＩｓ（Δｘ，Δｙ，Δｚ）におけるｘｙ成分が次のように扱われる。即ち、このｘｙ成分が、メインディスプレイ１０１上での領域Ａ１の任意の位置を表わす領域位置データＩｍ（ｘ，ｙ）として扱われる。
【０１４５】
ここで、上述したように、図８の指定領域送信部２５５からは、メインディスプレイ１０１上の領域Ａ１を指定する領域指定データＩａとして、上記の位置データＩｓと倍率データＩｂとの組が送信される。本実施形態では、この倍率データＩｂは、Ａボタン２０６への後述のユーザ操作を受けて作成されるが、このユーザ操作が無い段階では、この倍率データＩｂは「１」という等倍率を表わすものとなっている。この場合には、上記のように、位置データＩｓのｘｙ成分が領域位置データＩｍとして扱われる。一方、Ａボタン２０６へのユーザ操作が有り倍率データＩｂが「１」以外の倍率を表わす場合には、位置データＩｓのｘｙ成分が次のように扱われる。この場合には、このｘｙ成分に、倍率データＩｂが表わす倍率に応じた係数を乗じたものが領域位置データＩｍとして扱われる。本実施形態では、この係数として、上記の倍率が大きい程小さな値を持つ係数が使われる。
【０１４６】
また、本実施形態は、上述したようにサブディスプレイ２０１の画面サイズと同サイズの初期サイズに倍率データＩｂが表わす「１．０」以上の倍率を乗じたサイズが、領域Ａ１のサイズとして扱われる。従って、本実施形態では、領域Ａ１は必ずサブディスプレイ２０１よりも大きくなる。ここで、図１５および図１６では、図を見やすくするため、サブディスプレイ２１０が、メインディスプレイ１０１に対して実際よりも大きめに図示されている。このため、各図では、実際とは逆に、メインディスプレイ１０１上の領域Ａ１が、サブディスプレイ２１０よりも小さく示されている。
【０１４７】
次に、領域指定方法として、タッチセンサ２０３で検出されたタッチ位置を使って領域Ａ１を指定する方法が指定されたときの位置データＩｓについて説明する。
【０１４８】
ここで、本実施形態では、この方法で領域Ａ１を指定する場合の、サブディスプレイ２０１即ちタッチセンサ２０３に対するタッチ操作として、次のような操作が採用されている。
【０１４９】
図１７は、タッチセンサに対するタッチ操作を示す模式図である。
【０１５０】
尚、この図１７では、パート（Ａ）に、本実施形態で採用されているタッチ操作が示されている。そして、この図１７のパート（Ｂ）やパート（Ｃ）には、タッチ操作として考えられる他のタッチ操作が２例示されている。
【０１５１】
パート（Ａ）に示す本実施形態でのタッチ操作は、ユーザが、サブディスプレイ２０１即ちタッチセンサ２０３上を指でなぞる操作となる。このタッチ操作では、タッチセンサ２０３上を移動中の指について随時に検出されるタッチ位置を使って、次のように位置データＩｓが作成される。
【０１５２】
図１８は、タッチ位置を使った位置データの作成について模式的に示す図である。
【０１５３】
尚、この図１８でも、上記の図１５および図１６と同様に、図を見やすくするため、サブディスプレイ２１０が、メインディスプレイ１０１に対して実際よりも大きめに図示されている。
【０１５４】
本実施形態では、サブディスプレイ２０１上の原点、即ちタッチセンサ２０３上の原点が、タッチセンサ２０３における、図中の左上隅の角に設定されている。
【０１５５】
そして、ユーザがタッチセンサ２０３上を指でなぞると、移動中の指のタッチ位置を表わす、上記の原点に対する二次元座標がタッチセンサ２０３で検出される。
【０１５６】
ここで、上述したように、本実施形態では、メインディスプレイ１０１上での領域Ａ１の初期位置が、メインディスプレイ１０１における、図中の左上隅の角に予め決められている。さらに、本実施形態では、サブディスプレイ２０１上の原点を表わす位置データＩＳ０（０，０）が、メインディスプレイ１０１上での領域Ａ１の初期位置を表わす領域位置データＩｍ０（０，０）として扱われる。
【０１５７】
そこで、本実施形態では、領域Ａ１の指定方法としてタッチ操作が選択された後、初めてタッチセンサ２０３上を移動する指については、その指の移動が、サブディスプレイ２０１上の原点を出発点とした移動に置きかえられて位置データＩｓが作成される。
【０１５８】
即ち、移動中の指について検出されるタッチ位置（二次元座標）を、指の移動の出発点がサブディスプレイ２０１上の原点となるように平行移動した位置を表わす二次元座標が、位置データＩｓ１（Δｘ１，Δｙ１）として求められる。
【０１５９】
次に、一旦タッチセンサ２０３から離れた後、再度タッチセンサ２０３に触れてそのタッチセンサ２０３上を移動する指については、その指の移動が、前回の移動の最終位置を出発点とした移動に置きかえられて位置データＩｓが作成される。
【０１６０】
即ち、移動中の指について検出されるタッチ位置（二次元座標）を、指の移動の出発点が前回の移動の最終位置となるように平行移動した位置を表わす二次元座標が、位置データＩｓ２（Δｘ２，Δｙ２）として求められる。
【０１６１】
領域Ａ１の指定方法としてタッチ操作が選択された場合には、このようにして位置データＩｓが求められる。そして、本実施形態では、基本的には、移動中の指の位置を表わす位置データＩｓ（Δｘ，Δｙ）が次のように扱われる。即ち、この位置データＩｓ（Δｘ，Δｙ）に、予め決められた係数を乗じたものが、メインディスプレイ１０１上での領域Ａ１の任意の位置を表わす領域位置データＩｍ（ｘ，ｙ）として扱われる。ここで、上記の係数は、サブディスプレイ２０１のサイズとメインディスプレイ１０１のサイズとの比率に基づいて算出された係数となっている。
【０１６２】
ここで、タッチ操作としては、本実施形態で採用されている、図１７のパート（Ａ）に示したタッチ操作の他にも、この図１７のパート（Ｂ）やパート（Ｃ）に示す他のタッチ操作が挙げられる。
【０１６３】
図１７のパート（Ｂ）に示すタッチ操作は、ユーザが、サブディスプレイ２０１（タッチセンサ２０３）上の所望の位置をタッチする操作となる。このタッチ操作では、タッチセンサ２０３で検出されるタッチ位置を表わす二次元位置座標がそのまま位置データＩｓとして採用される。
【０１６４】
このタッチ操作でも、サブディスプレイ２０１上の原点、即ちタッチセンサ２０３上の原点が、タッチセンサ２０３における、図中の左上隅の角に設定されている。この原点を表わす位置データＩＳ０（０，０）が、メインディスプレイ１０１上での領域Ａ１の初期位置を表わす領域位置データＩｍ０（０，０）として扱われる。この原点の取扱いについては、後述する図１７のパート（Ｃ）に示すタッチ操作についても同様である。
【０１６５】
そして、タッチセンサ２０３で検出されたタッチ位置を表わす位置データＩｓに、予め決められた係数を乗じたものが、メインディスプレイ１０１上での領域Ａ１の任意の位置を表わす領域位置データＩｍとして扱われる。上記の係数は、サブディスプレイ２０１とメインディスプレイ１０１とのサイズの比率に基づいて算出された係数となる。
【０１６６】
図１７のパート（Ｃ）に示すタッチ操作では、図８の位置データ作成部２５２が、サブディスプレイ２０１上に、このサブディスプレイ２０１上の上下左右４つの方向をそれぞれ表わす４つの方向キー２５２ｃを表示させる。これら４つの方向キー２５２ｃは、それぞれ、ＸＹ各軸のプラス方向およびマイナス方向のいずれかに対応している。
【０１６７】
ユーザが、いずれかの方向キー２５２ｃをタッチすると、タッチセンサ２０３で検出されたタッチ位置に基づいて、位置データ作成部２５２が、ユーザにタッチされた方向キー２５２ｃを把握する。
【０１６８】
方向キー２５２ｃへのタッチが、領域指定方法としてタッチ操作がしてされた後の最初のタッチである場合には、位置データ作成部２５２は、原点を表わす位置データＩＳ０に対して以下の処理を行って位置データＩｓを求める。即ち、原点を表わす位置データＩＳ０の、把握された方向キー２５２ｃに対応するＸＹいずれかの成分に対し、所定の刻み値を加算あるいは減算する。この処理は、方向キー２５２ｃがプラス方向に対応してれば加算処理となり、方向キー２５２ｃがマイナス方向に対応してれば減算処理となる。ここで、上記の刻み値は、方向キー２５２ｃに対する１回のタッチに応じて、メインディスプレイ１０１上で領域Ａ１が移動する移動量となっている。
【０１６９】
方向キー２５２ｃへのタッチが、領域指定方法としてタッチ操作がしてされた後の２回目以降のタッチである場合には、前回のタッチ時における位置データＩＳに対して上記の加算処理あるいは減算処理を行う。
【０１７０】
図１７のパート（Ｃ）に示すタッチ操作では、ユーザにタッチされた方向キー２５２ｃに応じた上記のような加算処理や減算処理によって、そのタッチの際の位置データＩＳが求められる。そして、タッチセンサ２０３で検出されたタッチ位置を表わす位置データＩｓが、そのまま、メインディスプレイ１０１上での領域Ａ１の任意の位置を表わす領域位置データＩｍとして扱われる。
【０１７１】
以上で、位置データの作成についての説明を終了し、図１３および図１４のフローチャートが示す下位画像表示処理の続きについて説明する。
【０１７２】
本実施形態では、Ａボタン２０６に対して領域Ａ１の初期サイズに対する所望の倍率を指定するボタン操作があると、そのボタン操作に応じた倍率を表わす倍率データＩｂが図８の倍率データ作成部２５３で作成される（ステップＳ１０２）。
【０１７３】
また、Ｂボタン２０６に対して、サブディスプレイ２０１に部分画像を表示させる所望の画像を指定するボタン操作があると、そのボタン操作に応じた画像を指定する画像指定データＩｇが図８の画像指定データ作成部２５４で作成される（ステップＳ１０３）。
【０１７４】
本実施形態では、これら２つの処理は、Ａボタン２０６あるいはＢボタン２０７に対するユーザ操作があったときに実行される割り込み処理となっている。
【０１７５】
まず、倍率を指定するためのボタン操作について説明する。
【０１７６】
図１９は、倍率を指定するためのボタン操作を示す模式図である。
【０１７７】
本実施形態では、Ａボタン２０６に対するボタン操作によって、等倍率、第１の倍率、および第２の倍率という３種類の倍率を指定することができる。
【０１７８】
第１の倍率は、初期サイズＺ０を、その初期サイズＺ０とメインディスプレイ１０１のサイズとの中間的なサイズ（中間サイズＺ１）に拡大する倍率である。また、第２の倍率は、初期サイズＺ０を、メインディスプレイ１０１のサイズとほぼ同サイズとなる大サイズＺ２に拡大する倍率である。
【０１７９】
領域Ａ１のサイズが初期サイズＺ０であるときに、Ａボタン２０６が１回押されると上記の第１の倍率が指定され、図８の倍率データ作成部２５３が、その第１の倍率を表わす倍率データＩｂを作成する。Ａボタン２０６がさらに１回（合計２回）押されると、今度は上記の第２の倍率が指定され、倍率データ作成部２５３が、その第２の倍率を表わす倍率データＩｂを作成する。Ａボタン２０６がさらに１回（合計３回）押されると、今度は等倍率が指定され、倍率データ作成部２５３が、等倍率を表わす倍率データＩｂを作成する。
【０１８０】
本実施形態では、このように、Ａボタン２０６が１回押される毎に、上記の３種類の倍率が、第１の倍率、第２の倍率、等倍率の順番で循環的に指定され、その都度、倍率データ作成部２５３が各倍率を表わす倍率データＩｂを作成する。
【０１８１】
次に、画像を指定するためのボタン操作について説明する。
【０１８２】
図２０は、画像を指定するためのボタン操作を示す模式図である。
【０１８３】
本実施形態では、表示優先順位が１位の上位画像Ｇａの裏に、表示優先順位が２位以下の複数の下位画像Ｇｂが存在することがある。下位画像Ｇｂとしては、各種アプリケーションに応じてメインディスプレイ１０１上に展開されるウィンドウ画面や、複数のアイコンが並べられたいわゆるデスクトップ画面が挙げられる。このような複数の下位画像Ｇｂが存在する場合、複数の下位画像Ｇｂの中から、サブディスプレイ２０１上に部分画像を表示させる所望の下位画像Ｇｂを次のように指定することができる。
【０１８４】
まず、所望の下位画像Ｇｂが特に指定されていない初期段階では、上記の画像指定データＩｇは、表示優先順位が２位の下位画像を指定するものとなっている。
【０１８５】
この段階で、Ｂボタン２０７が１回押されると、表示優先順位が３位の下位画像が指定され、その３位の下位画像を指定する画像指定データＩｇが、図８の画像指定データ作成部２５４で作成される。Ｂボタン２０７がさらに１回押されると、今度は表示優先順位が４位の下位画像が指定され、その４位の下位画像を指定する画像指定データＩｇが作成される。本実施形態では、このように、Ｂボタン２０７が１回押される毎に、表示優先順位が前回よりも１だけ低い下位画像が指定され、その下位画像を指定する画像指定データＩｇが作成される。そして、表示優先順位が最下位の下位画像（多くの場合、デスクトップ画面となる）が指定された後、Ｂボタン２０７がさらに１回押されると、指定対象の下位画像が、表示優先順位が２位の下位画像に戻る。
【０１８６】
本実施形態では、このように、Ｂボタン２０６が１回押される毎に、表示優先順位の順番で循環的に下位画像が指定され、その都度、画像指定データ作成部２５４が各下位画像を表わす画像指定データＩｇを作成する。
【０１８７】
以上で、倍率や下位画像を指定するボタン操作についての説明を終了し、図１３および図１４のフローチャートが示す下位画像表示処理の続きについて説明する。
【０１８８】
このフローチャートでは、上記のステップＳ１０１で位置データＩｓが作成されると、図８の指定領域送信部２５５が、領域指定データＩａと画像指定データＩｇをパーソナルコンピュータ１００に向けて送信する（ステップＳ１０４）。このときに送信される領域指定データＩａは、ステップＳ１０１で作成された位置データＩｓと、次のような倍率指定データＩｂとの組である。この倍率指定データＩｂは、等倍率を示す初期段階の倍率指定データＩｂか、あるいは、この時点までに行なわれたステップＳ１０２の割り込み処理で作成された所望の倍率を示す倍率指定データＩｂである。
【０１８９】
また、ステップＳ１０４で領域指定データＩａとともに送信される画像指定データＩｇは、次のようなものとなっている。
【０１９０】
この画像指定データＩｇは、表示優先順位が２位の表示優先順位の下位画像を指定する初期段階の画像指定データＩｇか、あるいは、この時点までに行なわれたステップＳ１０３の割り込み処理で作成された所望の下位画像を示す画像指定データＩｇである。
【０１９１】
ステップＳ１０４でこのように領域指定データＩａと画像指定データＩｇが送信されると、それらのデータが、パーソナルコンピュータ１００における指定領域受信部１５４で受信される（ステップＳ１０５）。
【０１９２】
次に、位置データ検出部１５５によって、その受信された領域指定データＩａから位置データＩｓが抽出される（ステップＳ１０６）。そして、位置データ変換部１５６によって、その位置データＩｓが、メインディスプレイ１０１上の領域Ａ１の位置を指定する領域位置データＩｍに変換される（ステップＳ１０７）。
【０１９３】
ステップＳ１０７では、領域指定方法が装置位置を用いる方法である場合には、図１５および図１６を参照して説明したように、基本的には、三次元位置座標を表わす位置データＩｓにおけるｘｙ成分が領域位置データＩｍとして扱われる。また、倍率データＩｂが「１」以外の倍率を表わす場合には、位置データＩｓのｘｙ成分に、倍率データＩｂが表わす倍率に応じた係数を乗じたものが領域位置データＩｍとして扱われる。
【０１９４】
また、ステップＳ１０７では、領域指定方法がタッチ位置を用いる方法である場合には、図１８を参照して説明したように、基本的には、移動中の指の位置を表わす位置データＩｓに、予め決められた係数を乗じたものが領域位置データＩｍとして扱われる。位置データＩｓに乗じられる係数は、サブディスプレイ２０１とメインディスプレイ１０１とのサイズの比率に基づいて算出された係数となっている。
【０１９５】
ステップＳ１０７で、このように領域位置データＩｍが求められると、画像データ検出部１５８によって、その領域位置データＩｍが示す位置の領域Ａ１について、上記の画像データ群Ｇｍが求められる（ステップＳ１０８）。
【０１９６】
そして、画像データ変換部１５９によって、その画像データ群Ｇｍから、上記の画像指定データＩｇが指定する下位画像についての部分画像を表わす画像データが抽出される。その後、画像データ変換部１５９によって、その抽出された画像データに対して、サブディスプレイ２０１の出力プロファイルに応じた等色変換処理を施される。以上の一連処理により、サブディスプレイ装置２００に送信する下位画像データＧｓが完成する（ステップＳ１０９）。
【０１９７】
図２１は、画像データ群と、その画像データ群から求められる下位画像データとを模式的に示す図である。
【０１９８】
上述したように、画像データ検出部１５８で求められる画像データ群Ｇｍは、メインディスプレイ１０１上に表示中の上記の複合画像の元となった各画像における領域Ａ１内の部分画像を表わす画像データの群である。図１８には、この画像データ群Ｇｍとして、各画像における領域Ａ１内の部分画像をＲＧＢ形式で表わす複数の画像データの群が示されている。そして、上記のステップＳ１０９では、この画像データ群Ｇｍから、画像指定データＩｇによる指定に応じて抽出され、サブディスプレイ２０１の出力プロファイルに応じたＲＧＢ形式に変換された下位画像データＧｓが示されている。
【０１９９】
以上に説明したステップＳ１０８の処理とステップＳ１０９の処理とを合わせた処理が、本件の画像表示方法における下位画像作成ステップの一例に相当する。
【０２００】
図１４のステップＳ１０９でこのように求められた下位画像データＧｓは、下位画像データ送信部１６０によって、サブディスプレイ装置２００に向けて送信される（ステップＳ１１０）。このステップＳ１１０の処理が、本件の画像表示方法における画像送信ステップの一例に相当する。
【０２０１】
このように送信された下位画像データＧｓは、サブディスプレイ装置２００の下位画像データ受信部２５６で受信される（ステップＳ１１１）。このステップＳ１１１の処理が、本件の画像表示方法における画像受信ステップの一例に相当する。
【０２０２】
そして、その受信された下位画像データＧｓが表わす部分画像が、サブディスプレイ装置２００の第２の表示制御部２５７によって、サブディスプレイ２０１上に表示される（ステップＳ１１２）。また、このステップＳ１１２の処理では、第２の表示制御部２５７は、表示対象の部分画像がサブディスプレイ２０１の全画面に収まるように、その部分画像を、サブディスプレイ２０１のサイズに応じて拡縮する。このステップＳ１１２の処理が、本件の画像表示方法における表示制御ステップの一例に相当する。
【０２０３】
このステップＳ１１２の終了を持って、図６のフローチャートにおけるサブルーチンである下位画像表示処理（ステップＳ１００）が終了し、処理が、この図６のフローチャートが示すメインルーチンに戻る。
【０２０４】
そして、上述したように、メインルーチンにおいて、この下位画像表示処理（ステップＳ１００）が、サブディスプレイ装置２００の電源が落とされるまで繰返し実行される。
【０２０５】
以上、図６から図２１までを参照して説明した画像表示処理によって、図４の画像表示システム２では、次のような画像表示が行なわれることとなる。
【０２０６】
図２２は、図４の画像表示システムで行なわれる画像表示の一例について模式的に示す図である。
【０２０７】
この図２２の例では、各種アプリケーションに応じたウィンドウ画面、および、図２０に一例を示したデスクトップ画面を下位画像Ｇｂとし、動画等を上位画像Ｇａとした複合画像Ｇｃがメインディスプレイ１０１上に表示されている。ここで、２つの下位画像Ｇｂのうちウィンドウ画面の表示優先順位が２位で、デスクトップ画面の表示優先順位が３位となっている。また、この図２２の例では、複合画像Ｇｃは、上位画像Ｇａで全体的に占められ、２つの下位画像Ｇｂはこの上位画像Ｇａの裏に完全に隠れている。
【０２０８】
この状態で、サブディスプレイ装置２００に電源が投入され、上記の初期位置決定処理（ステップＳ１４）および領域指定方法の選択（ステップＳ１５）について、ユーザ操作が行なわれると、サブディスプレイ２０１上に次のように部分画像が表示される。
【０２０９】
即ち、本実施形態では、選択された領域指定方法に応じて、その選択後のサブディスプレイ装置２００の装置位置や、サブディスプレイ２０１上での指のタッチ位置に応じて領域Ａ１が設定される。そして、メインディスプレイ１０１上で上位画像Ｇａの裏に隠れている下位画像Ｇｂについて、その領域Ａ１内の部分画像がサブディスプレイ２０１上に表示される。一方で、メインディスプレイ１０１上には、上記の複合画像Ｇｃが表示されたままとなっている。つまり、本実施形態の画像表示システム２によれば、閲覧希望対象の画像が他の画像に隠れた態様を崩すことなく閲覧希望対象の画像を閲覧することができる。
【０２１０】
また、本実施形態では、ユーザによるサブディスプレイ装置２００の移動や、サブディスプレイ２０１上での指の移動により、メインディスプレイ１０１上の領域Ａ１が移動自在に指定される。そして、そのように指定された領域Ａ１を表わす領域指定データＩａ（位置データＩｓと倍率データＩｂとの組）が、メインディスプレイ装置１００に向けて送信される。メインディスプレイ装置１００では、その領域指定データＩａが受信され、下位画像Ｇｂについて、その領域指定データＩａに基づく領域Ａ１内の部分画像を表わす下位画像データＧｓが作成される。このような構成により、本実施形態では、小型のサブディスプレイ装置２００を使って、下位画像Ｇｂにおける所望の領域Ａ１内の部分画像を閲覧することができる。
【０２１１】
このことは、本件の画像表示システムおよび情報処理装置に対し、次のような応用形態が好適であることを意味している。この応用形態では、上記第２表示装置が、領域指定部と指定領域送信部とを有している。領域指定部は、上記第１表示装置の表示画面上の領域を操作者による操作に応じて移動自在に指定するものである。また、指定領域送信部は、上記領域指定部で指定された上記第１表示装置の表示画面上の領域を表わす領域指定データを上記第１表示装置に向けて送信するものである。さらに、この応用形態では、上記第１表示装置が、上記第２表示装置から送信されてきた領域指定データを受信する指定領域受信部を有している。そして、この応用形態では、上記下位画像作成部が、表示優先順位が２位以下の画像のうちの１つの画像について、次のような下位画像データを作成するものとなっている。即ち、その下位画像データは、上記の１つの画像について、上記指定領域受信部で受信された領域指定データに基づく領域内の部分画像を表わすものである。
【０２１２】
本実施形態における、図８に示す位置データ作成部２５２と倍率データ作成部２５３とを合わせたものが、この応用形態における領域指定部の一例に相当する。また、図８に示す指定領域送信部２５５が、この応用形態における指定領域送信部の一例に相当する。また、図８に示す指定領域受信部１５４が、この応用形態における指定領域受信部の一例に相当する。そして、図８に示す画像データ検出部１５８と画像データ変換部１５９とを合わせたものは、この応用形態における下位画像作成部の一例にも相当している。
【０２１３】
また、本実施形態では、領域指定方法の１つとして、空中マウス２０２で検出された装置位置を使って領域Ａ１を指定する方法が採用されている。
【０２１４】
この方法では、ユーザによって移動されるサブディスプレイ装置２００について、移動中のある時点の装置位置を空中マウス２０２で検出し、その装置位置を表わす位置データＩｓを使ってその時点の領域Ａ１が指定される。この位置データＩｓは、ある時点における装置位置を表わす三次元位置座標であり、移動中のサブディスプレイ装置２００の移動方向と移動量とを間接的に表わすデータとなっている。
【０２１５】
そして、このような位置データＩｓで指定される領域Ａ１は、前回指定された移動前の領域を、今回の位置データＩｓが表わす移動方向に応じた移動方向に、その位置データＩｓが表わす移動量に応じた移動量だけ移動させた移動後の領域となっている。
【０２１６】
本実施形態では、領域Ａ１のこのような指定が繰返し実行されることで、サブディスプレイ装置２００の移動に追随してメインディスプレイ１０１上の領域Ａ１が動かされる。これにより、ユーザは、サブディスプレイ２０１上の部分画像を見ながらサブディスプレイ装置２００を移動させて、領域Ａ１を、所望の部分画像が表示される位置まで移動させることができる。
【０２１７】
図２３は、図２２の例において表示優先順位が２位の下位画像であるウィンドウ画面について領域が設定される様子を示す模式図である。また、図２４は、図２２の例において表示優先順位が３位の下位画像であるデスクトップ画面について領域が設定される様子を示す模式図である。
【０２１８】
例えば、装置位置を使った領域指定方法によってウィンドウ画面Ｇｂ＿１について領域を設定する場合、ユーザは、サブディスプレイ装置２００を移動させて、領域Ａ１を、所望の操作アイコン等が表示される位置まで移動させることができる。同様に、デスクトップ画面Ｇｂ＿２について、ユーザは、領域Ａ１を、所望のファイルアイコン等が表示される位置まで移動させることができる。
【０２１９】
そして、本実施形態では、領域Ａ１の指定が、専ら空中マウス２０２を使って行なわれ、その領域Ａ１の指定にタッチセンサ２０３が使われない場合、サブディスプレイ２０１に表示されている部分画像に対する次のようなタッチ操作が可能となっている。
【０２２０】
即ち、サブディスプレイ２０１上に表示された部分画像中の操作アイコンやファイルアイコン等にユーザがタッチすると、そのタッチ位置がタッチセンサ２０３で検出され、パーソナルコンピュータ１００に通知される。パーソナルコンピュータ１００では、その通知されたタッチ位置に基づいて、ユーザによってタッチされた操作アイコンやファイルアイコン等が把握される。そして、そのタッチされた操作アイコンやファイルアイコン等に応じた操作やファイルの展開等が実行される。ただし、これらの操作の結果、メインディスプレイ１０１上に新たな画像が表示されることとなった場合には、その画像には、２位の表示優先順位が割り当てられる。さらに、操作前の表示優先順位が２位以下であった各画像の表示優先順位が「１」だけ繰下げられる。このような処理の結果、上記のような新たな画像が表示されることとなった場合でも、メインディスプレイ１０１上における表示態様は、元のままに維持される。
【０２２１】
以上に説明した、装置位置を使って領域Ａ１を指定する方法では、サブディスプレイ装置２００の移動と、メインディスプレイ１０１上での領域Ａ１の移動がほぼ一致する。このため、この方法によれば、次のようなユーザが直感的に理解しやすい操作が可能となる。即ち、メインディスプレイ１０１上の所望の位置にサブディスプレイ装置２００をかざして、下位画像Ｇｂにおけるその位置の部分画像を透視するといった操作が可能となる。
【０２２２】
このことは、本件の画像表示システム、情報処理装置、および表示装置に対して、次のような応用形態が好適であることを意味している。この応用形態では、前記第２表示装置が、操作者により自在に移動されるものであって、さらに、この第２表示装置の移動方向および移動量を検出する移動センサを有している。そして、この応用形態では、上記領域指定部が、上記センサで検出された移動方向および移動量に基づいて、次のような領域を指定するものとなっている。この領域指定部は、上記第１表示装置の表示画面上の移動前の領域を、その表示画面上で次のように移動させたときの、その移動後の領域を指定する。即ち、この領域指定部は、移動前の領域を、その移動センサで検出された移動方向に応じた移動方向にその移動センサで検出された移動量に応じた移動量だけ移動させたときの、移動後の領域を指定する。
【０２２３】
図４に示す空中マウス２０２が、この応用形態における移動センサの一例に相当する。また、図８に示す位置データ作成部２５２と倍率データ作成部２５３とを合わせたものは、この応用形態における領域指定部の一例にも相当している。
【０２２４】
また、本実施形態では、領域指定方法の１つとして、サブディスプレイ２０１上、即ちタッチセンサ２０３上をなぞって移動中の指のタッチ位置を使って領域Ａ１を指定する方法が採用されている。
【０２２５】
この方法では、図１８を参照して説明したように、タッチセンサ２０３で検出される移動中の指のタッチ位置が、移動の出発点を原点や前回移動時の最終位置に移す平行移動によって動かされて、その平行移動後の位置を示す位置データＩｓが求められる。この位置データＩｓは、サブディスプレイ２０１上でのタッチ後のタッチ位置の移動方向および移動量を間接的に表している。
【０２２６】
そして、本実施形態では、この位置データＩｓでメインディスプレイ１０１上の領域Ａ１が指定される。このように指定された領域Ａ１は、前回指定された移動前の領域を、今回の位置データＩｓが表わす移動方向に応じた移動方向に、その位置データＩｓが表わす移動量に応じた移動量だけ移動させた移動後の領域となっている。
【０２２７】
この方法によっても、ユーザは、サブディスプレイ２０１上の部分画像を見ながらサブディスプレイ２０１上を指でなぞって、領域Ａ１を、所望の部分画像が表示される位置まで移動させることができる。また、この方法では、サブディスプレイ装置２００自体を動かす必要がないので、少ない操作スペースで上記のような領域Ａ１の移動を行なうことができる。
【０２２８】
このことは、本件の画像表示システム、情報処理装置、および表示装置に対して、次のような応用形態が好適であることを意味している。この応用形態では、上記第２表示装置が、上記第２表示装置の表示画面上の、操作者による、タッチ後のタッチ位置の移動方向および移動量を検出するタッチセンサを有したものとなっている。そして、この応用形態では、上記領域指定部が、上記タッチセンサで検出された移動方向および移動量に基づいて、次のような領域を指定するものとなっている。この領域指定部は、上記第１表示装置の表示画面上の移動前の領域を、その第１表示装置の表示画面上で次のように移動させたときの、移動後の領域を指定する。即ち、この領域指定部は、移動前の領域を、上記タッチセンサで検出された移動方向に応じた移動方向にそのタッチセンサで検出された移動量だけ移動させたときの、移動後の領域を指定する。
【０２２９】
図４に示すタッチセンサ２０３が、この応用形態におけるタッチセンサの一例に相当する。また、図８に示す位置データ作成部２５２と倍率データ作成部２５３とを合わせたものは、この応用形態における領域指定部の一例にも相当している。
【０２３０】
また、本実施形態では採用されていないが、タッチセンサ２０３に対するタッチ操作を用いた領域Ａ１の指定方法としては、図１７のパート（Ｂ）およびパート（Ｃ）を参照して説明した２つの方法が挙げられる。
【０２３１】
図１７のパート（Ｂ）に示した方法では、タッチセンサ２０３で検出されるタッチ位置二次元位置座標がそのまま位置データＩｓとして採用される。そして、その位置データＩｓに、予め決められた係数を乗じたものが、メインディスプレイ１０１上での領域Ａ１の任意の位置を表わす領域位置データＩｍとして扱われる。つまり、この方法では、タッチ位置を表わす位置データＩｓが、そのままで、領域Ａ１の移動方向と移動量とを表わすデータとなっている。
【０２３２】
この方法によれば、サブディスプレイ２０１をメインディスプレイ１０１に見立てることで、メインディスプレイ１０１上の所望の領域Ａ１をサブディスプレイ２０１上で直感的に指定することができる。
【０２３３】
このことは、本件の画像表示システム、情報処理装置、および表示装置に対して、次のような応用形態が好適であることを意味している。この応用形態では、上記第２表示装置が、上記第２表示装置の表示画面上の、操作者によるタッチ位置を検出するタッチセンサを有したものとなっている。そして、この応用形態では、上記領域指定部が、上記タッチセンサで検出されたタッチ位置に基づいて、次のような領域を指定するものとなっている。この領域指定部は、上記第１表示装置の表示画面上の移動前の領域を、その表示画面上で次のように移動させたときの、移動後の領域を指定するものとなっている。即ち、この領域指定部は、移動前の領域を、そのタッチセンサで検出されたタッチ位置に応じた移動方向にそのタッチ位置に応じた移動量だけ移動させたときの、移動後の領域を指定する。
【０２３４】
図４に示すタッチセンサ２０３は、この応用形態におけるタッチセンサの一例にも相当している。また、図１７のパート（Ｂ）に示した方法で位置データを作成すると仮定したときの位置データ作成部２５２と倍率データ作成部２５３とを合わせたものが、この応用形態における領域指定部の一例に相当する。
【０２３５】
また、図１７のパート（Ｃ）に示した方法では、サブディスプレイ２０１上に、このサブディスプレイ２０１上の上下左右４つの方向をそれぞれ表わす４つの方向キー２５２ｃが表示される。そして、いずれかの方向キー２５２ｃへのタッチがタッチセンサ２０３で検出される。すると、所定の刻み値の、タッチが検出された方向キー２５２ｃに応じた加算処理または減算処理によって求められた位置データＩｓで、メインディスプレイ１０１上の領域Ａ１が指定される。
【０２３６】
この方法によれば直感的に理解しやすい方向キー２５２ｃに対するタッチ操作によって領域Ａ１が指定されるので操作が容易である。
【０２３７】
このことは、本件の画像表示システム、情報処理装置、および表示装置に対して、次のような応用形態が好適であることを意味している。この応用形態では、上記第２表示装置が、上記第２表示装置の表示画面上の、操作者によるタッチ位置を検出するタッチセンサを有したものとなっている。また、この応用形態では、上記領域指定部が、上記第２表示装置の表示画面上にその第２表示装置の表示画面上の複数の各方向をそれぞれ表わす複数のマークを表示させる。領域指定部は、さらに、上記タッチセンサに、その複数のマークのうちの操作者にタッチされたマークを検出させる。そして、領域指定部は、そのタッチセンサで検出されたマークに基づいて、上記第１表示装置の表示画面上の移動前の領域を、その表示画面上で次のように移動させたときの、移動後の領域を指定する。即ち、領域指定部は、移動前の領域を、そのタッチセンサで検出されたマークが表わす方向に応じた移動方向に移動させたときの、移動後の領域を指定する。
【０２３８】
図４に示すタッチセンサ２０３は、この応用形態におけるタッチセンサの一例にも相当している。また、図１７のパート（Ｃ）に示した方法で位置データを作成すると仮定したときの位置データ作成部２５２と倍率データ作成部２５３とを合わせたものが、この応用形態における領域指定部の一例に相当する。
【０２３９】
尚、ここまで、メインディスプレイ上の領域を指定する方法として、逐次の装置位置やタッチ位置に基づいて領域を指定する方法を列挙したが、領域指定方法は、これらの方法に限るものではない。領域指定方法は、例えば、装置位置やタッチ位置の移動について、同一の移動方向への閾値以上の移動量の移動があったか否かを判定し、その判定結果に応じて次のように領域を指定する方法であっても良い。まず、上記のような移動は無かったと判定された場合には、上述の実施形態と同様に、逐次の装置位置やタッチ位置に基づいて領域が指定される。一方、上記のような移動があったと判定された場合には、その判定の後、ユーザ操作によって停止が指示されるまで、次のような領域指定を繰返し実行する。即ち、この場合には、移動前の領域を、その判定に係る移動の移動方向に所定の刻み値で移動させたときの移動後の領域を指定する。この領域指定方法では、ユーザがサブディスプレイ装置や指を、所望の移動方向に閾値以上の移動量だけ移動させると、後は、あたかも慣性移動のように自動的に指定領域が移動していくこととなる。そして、所望の領域の部分画像がサブディスプレイに表示された段階で、例えばサブディスプレイへのタッチやボタン操作等によって移動の停止が指示される。これにより、ユーザは、少ない操作で、所望の領域の部分画像を閲覧することができる。
【０２４０】
また、本実施形態では、メインディスプレイ１０１上の領域Ａ１が、Ａボタン２０６に対するボタン操作によって３段階に拡縮自在に指定される。そして、サブディスプレイ２０１上には、そのように指定された領域内の部分画像が、全画面に収まるようにサブディスプレイ２０１のサイズに応じて拡縮されて表示される。これにより、ユーザは、図２３や図２４に示すように領域Ａ１のサイズを所望のサイズに拡縮させて、下位画像について所望の広さの領域Ａ１内の部分画像を閲覧することができる。
【０２４１】
このことは、本件の画像表示システム、情報処理装置、および表示装置に対して、次のような応用形態が好適であることを意味している。この応用形態では、上記領域指定部が、上記第１表示装置の表示画面上の領域を、操作者による操作に応じて移動自在かつ拡縮自在に指定するものとなっている。
【０２４２】
また、この応用形態では、上記第２の表示制御部が、上記画像受信部で受信された下位画像データに基づくとともに上記第２表示装置の表示画面のサイズに応じて拡縮された部分画像をその第２表示装置の表示画面に表示させるものとなっている。
【０２４３】
本実施形態における、図８に示す位置データ作成部２５２と倍率データ作成部２５３とを合わせたものは、この応用形態における領域指定部の一例にも相当している。また、図８に示す第２の表示制御部２５７は、この応用形態における第２の表示制御部の一例にも相当している。
【０２４４】
また、本実施形態では、領域の指定に当たり、位置データＩｓのｘｙ成分に、倍率データＩｂが表わす倍率に応じた係数を乗じたものが領域位置データＩｍとして扱われる。
【０２４５】
これにより、指定倍率が大きいほど、例えばサブディスプレイ装置２００の移動に伴うサブディスプレイ２０１上での部分画像の移動が抑えられている等といった操作性の良い画像表示が可能となっている。
【０２４６】
このことは、本件の画像表示システム、情報処理装置、および表示装置に対して、次のような応用形態が好適であることを意味している。この応用形態では、上記第１表示装置の表示画面上の移動前の領域を、その表示画面上で次のように移動させたときの移動後の領域を指定するものとなっている。即ち、領域指定部は、移動前の領域を、上記第２表示装置の表示画面に表示されている部分画像の拡縮率を１つの変数として算出される移動量だけ移動させたときの移動後の領域を指定する。
【０２４７】
本実施形態における、図８に示す位置データ作成部２５２と倍率データ作成部２５３とを合わせたものは、この応用形態における領域指定部の一例にも相当している。
【０２４８】
また、本実施形態では、下位画像が複数存在している場合、Ｂボタン２０７に対するボタン操作によって、それら複数の下位画像の中から、サブディスプレイ２０１上に部分画像を表示させる下位画像が指定される。これにより、ユーザは、複数の下位画像の中から所望の下位画像を選択して、その所望の下位画像の部分画像を閲覧することができる。
【０２４９】
このことは、本件の画像表示システム、情報処理装置、および表示装置に対して、次のような応用形態が好適であることを意味している。
【０２５０】
この応用形態では、上記領域指定部が、さらに、上記第１表示装置の表示画面への表示が指示された画像のうちの表示優先順位が２位以下の画像の中の１つの画像を操作者による操作に応じて指定するものとなっている。また、この応用形態では、上記指定領域送信部が、上記領域指定データを送信するとともに、さらに、次のような画像指定データを送信するものとなっている。即ち、指定領域送信部は、上記領域指定部で指定された画像を特定する画像指定データも送信する。また、この応用形態では、上記指定領域受信部が、上記第２表示装置から送信されてきた画像指定データと領域指定データとの双方を受信するものとなっている。そして、この応用形態では、上記下位画像作成部が、次のような画像の、その指定領域受信部で受信された領域指定データに基づく領域内の部分画像を表わす下位画像データを作成するものとなっている。即ち、下位画像作成部は、上記指定領域受信部で受信された画像指定データに基づく画像の、上記領域内の部分画像を表わす下位画像データを作成する。
【０２５１】
本実施形態における、図８に示す位置データ作成部２５２と倍率データ作成部２５３と画像指定データ作成部２５４とを合わせたものが、この応用形態における領域指定部の一例に相当する。また、図８に示す指定領域送信部２５５は、この応用形態における指定領域送信部の一例にも相当している。また、図８に示す指定領域受信部１５４は、この応用形態における指定領域受信部の一例にも相当している。そして、図８に示す画像データ検出部１５８と画像データ変換部１５９とを合わせたものは、この応用形態における下位画像作成部の一例にも相当している。
【０２５２】
尚、上記では、本件の画像表示システムの一実施形態として、パーソナルコンピュータ１００とサブディスプレイ装置２００とを有するシステムを例示したが、本件の画像表示システムは、これに限るものではない。本件の画像表示システムは、例えば、インターネットへの接続機能を備えたテレビジョン装置とサブディスプレイ装置とを有するシステム等であっても良い。このようなシステムでは、放送中の番組を上位画像として表示させ、インターネット状のコンテンツ画面を下位画像として表示させて、サブディスプレイ装置でコンテンツ画面の閲覧や操作が行なわれることとなる。
【０２５３】
また、上記では、本件の画像表示システムの一実施形態として、第１表示装置に相当するパーソナルコンピュータ１００と第２表示装置に相当するサブディスプレイ装置２００とが、互いに電波による無線通信によって接続された形態を例示した。しかしながら、本件の画像表示システムは、これに限るものではない。本件の画像表示システムは、例えば、第１表示装置と第２表示装置とが互いに赤外線通信等といった電波以外の無線通信によって接続されたものであっても良い。あるいは、本件の画像表示システムは、第１表示装置と第２表示装置とが互いに有線通信等によって接続されたものであっても良い。
【符号の説明】
【０２５４】
１，２    画像表示システム
１０    第１表示装置
１１    第１表示画面
１２    メモリ
１３    画像合成部
１４    第１の表示制御部
１５    下位画像作成部
１６    画像送信部
２０    第２表示装置
２１    第２表示画面
２２，３４    画像受信部
２３    第２の表示制御部
３０    表示装置
３１    表示画面
３２    領域指定部
３３    指定領域送信部
３５    表示制御部
１００    パーソナルコンピュータ
１００ａ    本体装置
１０１    メインディスプレイ
１０２，２０８    ＣＰＵ
１０３，２０９    メモリ
１０４    ＨＤＤ
１０５，２０４    領域指定用送受信機
１０６，２０５    画像用送受信機
１０７，２１０    グラフィックコントローラ
１０８，２１１    電源
１５１    表示優先順位記憶部
１５２    画像合成部
１５３    第１の表示制御部
１５４    指定領域受信部
１５５    位置データ検出部
１５６    位置データ変換部
１５７    サイズ記憶部
１５８    画像データ検出部
１５９    画像データ変換部
１６０    下位画像データ送信部
２００    サブディスプレイ装置
２０１    サブディスプレイ
２０２    空中マウス
２０３    タッチセンサ
２０６    Ａボタン
２０７    Ｂボタン
２５１    初期位置決定部
２５１ａ    初期画面
２５１ａ＿１    メッセージ
２５１ａ＿２    ＯＫボタン
２５２    位置データ作成部
２５２ｂ    領域指定方法選択画面
２５２ｂ＿１    空中マウス指定ボタン
２５２ｂ＿２    タッチ操作指定ボタン
２５２ｃ    方向キー
２５３    倍率データ作成部
２５４    画像指定データ作成部
２５５    指定領域送信部
２５６    下位画像データ受信部
２５７    第２の表示制御部
【図１】
2011108109.tif 000003
【図２】
2011108109.tif 000004
【図３】
2011108109.tif 000005
【図４】
2011108109.tif 000006
【図５】
2011108109.tif 000007
【図６】
2011108109.tif 000008
【図７】
2011108109.tif 000009
【図８】
2011108109.tif 000010
【図９】
2011108109.tif 000011
【図１０】
2011108109.tif 000012
【図１１】
2011108109.tif 000013
【図１２】
2011108109.tif 000014
【図１３】
2011108109.tif 000015
【図１４】
2011108109.tif 000016
【図１５】
2011108109.tif 000017
【図１６】
2011108109.tif 000018
【図１７】
2011108109.tif 000019
【図１８】
2011108109.tif 000020
【図１９】
2011108109.tif 000021
【図２０】
2011108109.tif 000022
【図２１】
2011108109.tif 000023
【図２２】
2011108109.tif 000024
【図２３】
2011108109.tif 000025
【図２４】
2011108109.tif 000026
【手続補正書】
【提出日】平成24年9月20日(2012.9.20)
【手続補正１】
【補正対象書類名】明細書
【補正対象項目名】０００９
【補正方法】変更
【補正の内容】
【０００９】
本件は上記事情に鑑み、閲覧希望対象の画像が他の画像に隠れた態様を崩すことなく閲覧希望対象の画像を閲覧することができる画像表示システム、情報処理装置、表示装置、および画像表示方法を提供することを目的とするものである。
【手続補正２】
【補正対象書類名】明細書
【補正対象項目名】００８６
【補正方法】変更
【補正の内容】
【００８６】
また、このパーソナルコンピュータ１００は、領域指定用送受信機１０５と画像用送受信機１０６とを有している。パーソナルコンピュータ１００の領域指定用送受信機１０５は、サブディスプレイ装置２００の領域指定用送受信機２０４から電波による無線通信によって送信されてきた領域指定データを受信するものである。また、パーソナルコンピュータ１００の画像用送受信機１０６は、上記の下位画像データをサブディスプレイ装置２００に向けて電波による無線通信によって送信するものである。
【手続補正３】
【補正対象書類名】明細書
【補正対象項目名】０１０１
【補正方法】変更
【補正の内容】
【０１０１】
サイズ記憶部１５７は、領域Ａ１について予め決められている初期サイズを記憶するものである。本実施形態では、この初期サイズが、サブディスプレイ装置２００におけるサブディスプレイ２０１の画面サイズに設定されている。サイズ記憶部１５７は、図７および図９に示すパーソナルコンピュータ１００のメモリ１０３内における予め決められたアドレス領域に相当する。
【手続補正４】
【補正対象書類名】明細書
【補正対象項目名】０１１５
【補正方法】変更
【補正の内容】
【０１１５】
下位画像データ受信部２５６は、パーソナルコンピュータ１００から電波による無線通信によって送信されてきた上記の下位画像データＧsを受信するものである。この下位画
像データ受信部２５６は、図７および図９に示すサブディスプレイ装置２００の画像用送受信機２０５によって構築される。この下位画像データ受信部２５６が、本件の画像表示システムの第２表示装置および本件の表示装置における画像受信部の一例に相当する。
【手続補正５】
【補正対象書類名】明細書
【補正対象項目名】０１１６
【補正方法】変更
【補正の内容】
【０１１６】
第２の表示制御部２５７は、下位画像データ受信部２５６で受信された下位画像データＧsが表わす部分画像をサブディスプレイ２０１上に表示させるものである。この第２の
表示制御部２５７は、図７および図９に示すサブディスプレイ装置２００のＣＰＵ２０８とグラフィックコントローラ２１０とによって構築される。この第２の表示制御部２５７が、本件の画像表示システムの第２表示装置および本件の表示装置における第２の表示制御部の一例に相当する。
【手続補正６】
【補正対象書類名】明細書
【補正対象項目名】０１３６
【補正方法】変更
【補正の内容】
【０１３６】
この下位画像表示処理（ステップＳ１００）が実行されると、サブディスプレイ装置２００のサブディスプレイ２０１上に、図５に示したように、下位画像Ｇｂにおける、指定された領域内の部分画像が表示される。そして、この下位画像表示処理（ステップＳ１００）が、サブディスプレイ装置２００の電源が落とされるまで（ステップＳ１６におけるＹｅｓ判定）繰返し実行される。
【手続補正７】
【補正対象書類名】明細書
【補正対象項目名】０１４５
【補正方法】変更
【補正の内容】
【０１４５】
ここで、上述したように、図８の指定領域送信部２５５からは、メインディスプレイ１０１上の領域Ａ１を指定する領域指定データＩaとして、上記の位置データＩsと倍率データＩbとの組が送信される。本実施形態では、この倍率データＩbは、Ａボタン２０６への後述のユーザ操作を受けて作成されるが、このユーザ操作が無い段階では、この倍率データＩbは「１」という等倍率を表わすものとなっている。この場合には、上記のように、
位置データＩsのｘｙ成分が領域位置データＩmとして扱われる。一方、Ａボタン２０６へのユーザ操作が有り倍率データＩbが「１」以外の倍率を表わす場合には、位置データＩsのｘｙ成分が次のように扱われる。この場合には、このｘｙ成分に、倍率データＩbが表
わす倍率に応じた係数を乗じたものが領域位置データＩmとして扱われる。本実施形態で
は、この係数として、上記の倍率が大きい程小さな値を持つ係数が使われる。
【手続補正８】
【補正対象書類名】明細書
【補正対象項目名】０１４６
【補正方法】変更
【補正の内容】
【０１４６】
また、本実施形態は、上述したようにサブディスプレイ２０１の画面サイズと同サイズの初期サイズに倍率データＩbが表わす「１．０」以上の倍率を乗じたサイズが、領域Ａ
１のサイズとして扱われる。従って、本実施形態では、領域Ａ１は必ずサブディスプレイ２０１よりも大きくなる。ここで、図１５および図１６では、図を見やすくするため、サブディスプレイ２０１が、メインディスプレイ１０１に対して実際よりも大きめに図示されている。このため、各図では、実際とは逆に、メインディスプレイ１０１上の領域Ａ１が、サブディスプレイ２０１よりも小さく示されている。
【手続補正９】
【補正対象書類名】明細書
【補正対象項目名】０１５３
【補正方法】変更
【補正の内容】
【０１５３】
尚、この図１８でも、上記の図１５および図１６と同様に、図を見やすくするため、サブディスプレイ２０１が、メインディスプレイ１０１に対して実際よりも大きめに図示されている。
【手続補正１０】
【補正対象書類名】明細書
【補正対象項目名】０１６８
【補正方法】変更
【補正の内容】
【０１６８】
方向キー２５２ｃへのタッチが、領域指定方法としてタッチ操作がされた後の最初のタッチである場合には、位置データ作成部２５２は、原点を表わす位置データＩS0に対して以下の処理を行って位置データＩsを求める。即ち、原点を表わす位置データＩS0の、把
握された方向キー２５２ｃに対応するＸＹいずれかの成分に対し、所定の刻み値を加算あるいは減算する。この処理は、方向キー２５２ｃがプラス方向に対応してれば加算処理となり、方向キー２５２ｃがマイナス方向に対応してれば減算処理となる。ここで、上記の刻み値は、方向キー２５２ｃに対する１回のタッチに応じて、メインディスプレイ１０１上で領域Ａ１が移動する移動量となっている。
【手続補正１１】
【補正対象書類名】明細書
【補正対象項目名】０１６９
【補正方法】変更
【補正の内容】
【０１６９】
方向キー２５２ｃへのタッチが、領域指定方法としてタッチ操作がされた後の２回目以降のタッチである場合には、前回のタッチ時における位置データＩSに対して上記の加算
処理あるいは減算処理を行う。
【手続補正１２】
【補正対象書類名】明細書
【補正対象項目名】０１７３
【補正方法】変更
【補正の内容】
【０１７３】
また、Ｂボタン２０７に対して、サブディスプレイ２０１に部分画像を表示させる所望の画像を指定するボタン操作があると、そのボタン操作に応じた画像を指定する画像指定データＩgが図８の画像指定データ作成部２５４で作成される（ステップＳ１０３）。
【手続補正１３】
【補正対象書類名】明細書
【補正対象項目名】０１８６
【補正方法】変更
【補正の内容】
【０１８６】
本実施形態では、このように、Ｂボタン２０７が１回押される毎に、表示優先順位の順番で循環的に下位画像が指定され、その都度、画像指定データ作成部２５４が各下位画像を表わす画像指定データＩgを作成する。
【手続補正１４】
【補正対象書類名】明細書
【補正対象項目名】０１８８
【補正方法】変更
【補正の内容】
【０１８８】
このフローチャートでは、上記のステップＳ１０１で位置データＩsが作成されると、
図８の指定領域送信部２５５が、領域指定データＩaと画像指定データＩgをパーソナルコンピュータ１００に向けて送信する（ステップＳ１０４）。このときに送信される領域指定データＩaは、ステップＳ１０１で作成された位置データＩsと、次のような倍率データＩbとの組である。この倍率データＩbは、等倍率を示す初期段階の倍率データＩbか、あ
るいは、この時点までに行なわれたステップＳ１０２の割り込み処理で作成された所望の倍率を示す倍率データＩbである。
【手続補正１５】
【補正対象書類名】明細書
【補正対象項目名】０２５２
【補正方法】変更
【補正の内容】
【０２５２】
尚、上記では、本件の画像表示システムの一実施形態として、パーソナルコンピュータ１００とサブディスプレイ装置２００とを有するシステムを例示したが、本件の画像表示システムは、これに限るものではない。本件の画像表示システムは、例えば、インターネットへの接続機能を備えたテレビジョン装置とサブディスプレイ装置とを有するシステム等であっても良い。このようなシステムでは、放送中の番組を上位画像として表示させ、インターネット上のコンテンツ画面を下位画像として表示させて、サブディスプレイ装置でコンテンツ画面の閲覧や操作が行なわれることとなる。
【国際調査報告】
2011108109.tif 000027
2011108109.tif 000028